(57)【特許請求の範囲】
【請求項１】
ａ）特定人材の採用に際し、採用面接時に得られる健康情報、採用面接時の質疑応答情報、就労体験会での実習状況の情報を入力させる採用前情報入力手段と、
ｂ）前記採用前情報入力手段に入力された情報に基づき、協調性の有無、ビジネスマナーの有無、職務遂行能力の有無を判断基準として、定着率が高いと見込まれる人材を採用するための採否の判断情報を提供する採用判断情報提供手段と、
ｃ）メンバーの定着率を向上させるための就労支援及び技術支援の情報を提供する支援情報提供手段であって、前記メンバーの能力に合った支援をするために自社企業により提供され、前記メンバーにより毎日の健康状態及び精神状態が記録され、管理者により前記メンバーの健康が把握・管理される健康管理ツールを有する就労支援ツール提供手段を含む支援情報提供手段と
を有することを特徴とする特定人材定着率向上システム。
【請求項２】
研修及び実務が行われる屋内もしくは屋外の職場環境についての職場環境情報を提供する職場環境情報提供手段を備えたことを特徴とする請求項１に記載の特定人材定着率向上システム。
【請求項３】
前記支援情報提供手段は、前記自社企業が作成した各種マニュアルに基づいて、顧客企業の管理者が前記メンバーを技術面で指導または管理するための技術支援ツールを自社企業が提供する技術支援ツール提供手段を含み、前記就労支援ツール提供手段は、自社企業が作成した各種マニュアルに基づいて顧客企業の管理者が前記メンバーを就労面で指導または管理するためのものである、請求項１に記載の特定人材定着率向上システム。
【請求項４】
前記採用面接における前記メンバーへの質疑応答中の質問は、日常生活のリズムについて把握し、通勤能力について把握し、現在どのような作業能力を持っているかを確認し、休憩の取得のタイミングや必要な休憩時間について確認し、自分自身の能力や病気について受容し、自分から他人に意思伝達できる人であるか否かを確認する旨の少なくともいずれか一方を含む請求項１に記載の特定人材定着率向上システム。
【請求項５】
前記就労支援ツール提供手段は、前記メンバーの生活習慣、健康状態、日常生活の中で大切にしていること、生きがい、周囲の人とのかかわり、過去の学校生活や仕事、自身の能力や病気についての情報、及びストレスや疲労の感じ方や対処方法の少なくともいずれか一方について所定期間後に前記メンバーにより整理される情報整理ツールと、前記メンバーにより毎日、理解／取得した業務内容や悩み事が記録媒体に記録され、前記媒体に前記管理者により訂正／加筆される記録ツールと、を含む請求項３に記載の特定人材定着率向上システム。
【請求項６】
前記技術支援ツール提供手段は、前記メンバーが作業を行う上で必要な作業マニュアルと、前記メンバーが作業を行う際に予想されるトラブルに対するトラブル対応ツールと、前記メンバーにより理解／取得した技術内容が記録される記録ツールと、を含む請求項３に記載の特定人材定着率向上システム。
【請求項７】
顧客企業側に置かれ、本部の管理担当者が操作する担当者側端末と、
顧客企業側に置かれ、現場の管理者が操作する管理者側端末と、
顧客企業側に置かれ、メンバーが操作するメンバー側端末と、
自社企業側に置かれ、自社企業側のスタッフが操作するスタッフ側端末と、
自社企業側に置かれ、自社企業側の就労者支援を行う者が操作する就労支援者側端末と、
自社企業側に置かれ、自社企業側の技術支援を行う者が操作する技術支援者側端末と、
これらの端末が接続され、システム全体の制御を行う制御部と
を有し、
前記採用前情報入力手段が、前記担当者側端末、前記スタッフ側端末のいずれか一方または両方であり、これらの端末を用いて情報が入力され、
前記採用判断情報提供手段が、前記採用前情報入力手段によって入力された情報に基づき、前記制御部が定着率の高いと予測される特定人材の採否の判断情報を作成し、前記担当者側端末へと出力し、
前記支援情報提供手段が、前記就労支援者側端末、前記技術支援者側端末と、前記制御部とによって作成される支援情報を定着率向上のために管理者側端末及び／またはメンバー側端末へと出力する
ことを特徴とする請求項１に記載の特定人材定着率向上システム。
【請求項８】
前記担当者側端末、前記管理者側端末、及び前記自社企業のスタッフ側の端末との間の情報に基づいて設備／部屋の利用状況、施錠開錠、出欠勤、生産状況、室温、湿度、室内照明、蛇口の閉忘れ、ドア開放を管理／監視する管理サーバーを備えたことを特徴とする請求項７に記載の特定人材定着率向上システム。
【請求項９】
前記採用面接時の質疑応答情報には、安心すること、及び、生きがいに感じることに関する情報が含まれることを特徴とする請求項１に記載の特定人材定着率向上システム。
【請求項１０】
前記採用面接時の質疑応答情報には、職場でやりがいを感じたり楽しかったりしたこと、及び、今までの職場で大変だったことや嫌だったことに関する情報が含まれることを特徴とする請求項１に記載の特定人材定着率向上システム。
【請求項１１】
前記採用面接時の質疑応答情報には、病気の症状が悪化した時期及び原因並びにそれによって生じた環状に関する情報が含まれることを特徴とする請求項１に記載の特定人材定着率向上システム。
【発明の詳細な説明】
【技術分野】
【０００１】
本発明は、特定人材の採用時及び採用後の支援活動により、定着率を向上させるシステムに関する。
【０００２】
なお、ここで、特定人材とは、障がい者、復職者、高齢者、元受刑者、外国人労働者のいずれかを指すが、それに限定されず、一般健常者を対象とすることもできる。
【背景技術】
【０００３】
従業員が一定数以上の規模の事業主は、従業員に占める身体障がい者・知的障がい者・精神障がい者の割合を「法定雇用率」以上にする義務がある（障がい者雇用促進法第４３条第１項）。民間企業の法定雇用率は２．２％であり、従業員を４５．５人以上雇用している企業は、障がい者を１人以上雇用しなければならないとされている。
このため、例えば障がい者を水耕栽培に従事させることが行われている（例えば、特許文献１参照）。
【０００４】
特許文献１に記載の発明は、従業員の職務管理システムであって、そのシステムにおける従業員の職務は、分業化された水耕栽培に関する部分的工程の作業それぞれであり、従業員は、障がい者であると共に少なくとも一つの職務を行なうものである。職務管理システムは、障がい者の障がい者情報記憶手段と部分的工程記憶手段と職務整合手段とを有し、障がい者情報記憶手段には、障がい種類、障がい内容、障がい重度、障がい知的度から少なくとも一つの情報が入力されており、部分的工程記憶手段には、部分的工程の作業それぞれの項目が入力されており、職務整合手段は、障がい情報に応じた項目を選出し割り当てるものである。
【０００５】
特許文献１に記載の発明によれば、「やる気」、「労働意欲」、及び「職務評価」などを考慮することができるとしており、水耕栽培であれば、軽労働かつ安全であり、年間を通じて工程ごとに同じ作業の繰り返し作業を継続することができるとしている。また、定植作業は根気のいる作業であるが、人との接触が無いので、これが一番向く勤労者もいる等としている。
【先行技術文献】
【特許文献】
【０００６】
【特許文献１】特開２０１４−００６６０６号公報
【発明の概要】
【発明が解決しようとする課題】
【０００７】
しかしながら、特許文献１に記載の技術では、労働評価は、作業負荷に基づきなされるとしているものの、障がい者の職場定着率（以下、定着率と表記）の向上については何ら考慮されていない。生産性を向上させることにより、労働時間が増加し定着率の減少につながる。また、特許文献１に記載の技術では、障がい者の日々の作業目標生産性や欠勤理由程度しか把握することができず、障がい者の当日の体調や精神面の状態についての把握はできない。
【０００８】
一般に、精神障がい者の定着率は４９．３％であり、身体障がい者の定着率は６０．８％であり、知的障碍者の定着率は６８．０％であると言われており（障碍者の就業状況等に関する調査研究：２０１７年、高齢・障がい・求職者雇用支援機構（ＪＥＥＤ））、改善が望まれる。
【０００９】
さらに、特許文献１に記載の技術では、企業独自に障がい者用の作業場を建設したり、育成の知識や経験がないまま管理／指導者を育成したりしなければならず、建設コストがかかったり、管理／指導が不適切だったりしてしまう。
【００１０】
そこで、本発明の主な目的は、障がい者を含む特定人材の採用時及び採用後の支援活動により、定着率を向上させるシステムを提供することにある。
【００１１】
尚、本発明においては、原則として、採用の代行はあくまで代行にすぎず、面接同席をしたとしても合否の判断をするものではない。
【課題を解決するための手段】
【００１２】
本発明者はまず、障がい者の定着率について着目した。障がい者が工場や店舗に就職できたとしてもすぐに辞職したり、転職したりして長続きしない例が多々ある。そこで、本発明者は、障がい者が長く勤められるようにするにはどうすればよいのかについて考察や試行を重ね、毎日の健康面や精神面の変化を観察し、生産性の追求を避け、障がい者が無理の無い範囲で職責を全うできるようにできる仕組みを考察し発明した。ここに本願の技術的思想の核心／本質が存在する。
【００１３】
上記思想の核心を実現し、上記課題を解決するため、本発明の第１の態様は、特定人材定着率向上システムであって、
ａ）特定人材の採用に際し、採用面接時に得られる健康情報、採用面接時の質疑応答情報、就労体験会での実習状況の情報のいずれか１つ以上の情報を入力させる採用前情報入力手段と、
ｂ）前記採用前情報入力手段に入力された情報に基づき、協調性の有無、ビジネスマナーの有無、職務遂行能力の有無のいずれか１つ以上を判断基準として、定着率が高いと見込まれる人材を採用するための採否の判断情報を提供する採用判断情報提供手段と、
ｃ）メンバーの定着率を向上させるための就労支援及び技術支援の情報を提供する支援情報提供手段と
を有することを特徴とする。
【００１４】
なお、ここでメンバーとは、採用された特定人材を指すが、一部では採用のために応募した特定人材を指すこともある。
【００１５】
このようにすると、顧客企業が募集した応募者もしくは自社企業が実施した就労体験会の参加者を顧客企業が採用面接する時に、顧客企業の管理者及び自社企業のスタッフと応募者もしくは参加者との間で得られる健康情報や、質疑応答での情報、応募者もしくは参加者による就労体験会での実習の状況の情報を入力される採用前情報入力手段を有しており、更に、入力された情報に基づいて、管理者により協調性の有無、ビジネスマナーの有無、職務遂行能力の有無などを判断基準として定着率が高いと見込まれる人材を採用するための採否の判断情報を管理者に提供する採用判断情報提供手段を有しているため、定着率が高いと見込まれる特定人材の採用が可能となる。
【００１６】
また、採用後は、研修期間中及び研修終了後、自社企業のスタッフがメンバー及び顧客企業の管理者に対して採用後の定着率を向上させるための就労支援及び技術支援の情報を提供する支援情報提供手段も有していることから、定着率向上の効果が期待できる。
【００１７】
ここで、自社企業とは、本発明者側の企業であり、例えば障がい者に対して就労体験会（以下体験会と呼称）を実施し、体験会参加者、ハローワークに紹介された方、顧客企業に応募された方に対し、自社企業のスタッフが同席して顧客企業側で応募者の採用を行い、顧客企業の管理者及び採用されたメンバーに就労支援及び技術支援を行うことで面接採用の効率化及びメンバーの定着率を向上させることを目的とするものである。
【００１８】
顧客企業としては、募集対象者が障がい者の場合には障がい者雇用促進法を満たしつつ、本業以外の業務を維持し、障がい者の職場である室内もしくは屋外での作業を顧客企業のアドオンで別事業とすることができる。屋内での作業としては、例えば、屋内水耕栽培作業、事務作業、部品配置作業、束線作業、はんだ付け作業、組み立て作業、通電試験作業、検品作業、梱包作業等が挙げられる。屋外での作業としては、例えば、農作業、園芸作業、養殖作業等が挙げられる。募集対象者が復職者（一定期間職場から離れていた方）、高齢者、元受刑者、もしくは外国人労働者であっても同様である（復職者にはメンタルヘルス不調者を含む）。但し、自社企業が予め行う予備の採用面接においては、協調性を重視する。入社後に問題を起こすことを防止するためである。また、応募者による面接採用時に実習させることで即戦力となりえるか否かの判断が可能となる。屋内での作業の場合は、真夏の熱中症や真冬の低体温症の罹患を回避できる。屋外での作業の場合は屋内のような閉塞感や圧迫感がなく、開放感が得られる。
【００１９】
また、高齢者をメンバーとした場合には、認知症の予防や体を動かすことによる病気の予防の効果が期待される。また、元受刑者をメンバーとした場合には、安定した職が得られることで犯罪の予防が期待される。同様に外国人をメンバーとする場合には日本の習慣や生活ルールを身に着けることができ、文化や習慣の違いによる孤立の防止、外国人の日本に対するイメージの悪化の防止、テロの予防、犯罪予備軍になることを防止することが期待される。
【００２０】
研修期間中、研修期間終了後、メンバーの体調面、精神面の良否を判断し、生産性の向上を主眼とはせず、メンバーが最適な状態で職務を全うすることにより、メンバーの不安や不満を解消することができ、ひいては定着率を向上させることができる。
【００２１】
本発明の第２の態様として、第１の態様の特定人材定着率向上システムにおいて、研修及び実務が行われる屋内もしくは屋外の職場環境についての情報を提供する職場環境情報提供手段を備えたことを特徴としてもよい。
【００２２】
このようにすると、職場環境（屋内もしくは屋外の設備、器具、各種装置、各種測定器）、業務内容（募集、面接採用、研修、実務の一例としての植物育成）を準備し、提供することで、顧客企業の特定人材の雇用及びその定着についての意欲を高めることができる。
【００２３】
本発明の第３の態様として、第１の態様の特定人材定着率向上システムにおいて、前記支援情報提供手段は、自社企業が作成した各種マニュアルに基づいて顧客企業の管理者が前記メンバーを就労面で指導または管理するため前記メンバーの能力に合った支援をする就労支援ツールを自社企業が提供する就労支援ツール提供手段と、前記各種マニュアルに基づいて、前記顧客企業の管理者が前記メンバーを技術面で指導または管理するための技術支援ツールを自社企業が提供する技術支援ツール提供手段と、を含むことを特徴としてもよい。
【００２４】
これによると、技術支援ツールにより技術面についてメンバーだけでなく管理者も十分な技術が習得でき、就労支援ツールによりメンバーの体調管理や精神面管理も十分に期待できるため、メンバーの定着率の向上が期待できる。
【００２５】
本発明の第４の態様として、第１の態様の特定人材定着率向上システムにおいて、前記採用面接における前記メンバーへの質疑応答中の質問は、日常生活のリズムについて把握し、通勤能力について把握し、現在どのような作業能力を持っているかを確認し、休憩の取得のタイミングや必要な休憩時間について確認し、自分自身の能力や病気について受容し、自分から他人に意思伝達できる人であるか否かを確認する旨の少なくともいずれか一方を含むことを特徴としてもよい。
【００２６】
本発明の第５の態様として、第３の態様の特定人材定着率向上システムにおいて、前記就労支援ツール提供手段は、前記メンバーの生活習慣、健康状態、日常生活の中で大切にしていること、生きがい、周囲の人とのかかわり、過去の学校生活や仕事、自身の能力や病気につての情報、及びストレスや疲労の感じ方や対処方法の少なくともいずれか一方について所定期間後に前記メンバーにより整理される情報整理ツールと、前記メンバーにより毎日の健康状態及び精神状態が記録され、前記管理者により前記メンバーの健康が管理される健康管理ツールと、前記メンバーにより毎日、理解／取得した業務内容や悩み事が記録媒体に記録され、前記媒体に前記管理者により訂正／加筆される記録ツールと、を含むことを特徴としてもよい。
【００２７】
本発明の第６の態様として、第３の態様の特定人材定着率向上システムにおいて、前記技術支援ツール提供手段は、前記メンバーが作業を行う上で必要な作業マニュアルと、前記メンバーが作業を行う際に予想されるトラブルに対するトラブル対応ツールと、前記メンバーにより理解／取得した技術内容が記録される記録ツールと、を含むことを特徴としてもよい。
【００２８】
本発明の第７の態様として、第１の態様の特定人材定着率向上システムにおいて、前記研修のスケジュールは、初日に入社式及びオリエンテーションが行われ、前記屋内もしくは前記屋外で前記メンバーにより作業が行われ、前記管理者に前記スタッフから管理業務の説明が行われ、前記メンバーにより前記健康管理ツール及び前記記録ツールに記録され、２日目以降に前記メンバーにより前記屋内もしくは前記屋外で作業が行われ、前記管理者が前記スタッフから前記メンバーに関する雇用関連法、差別・合理的配慮、及び障がいに関する一般知識の説明が行われ、３日目以降に前記メンバーにより前記屋内もしくは前記屋外で作業が行われ、前記管理者が前記スタッフから前記メンバーとのコミュニケーションについての説明が行われ、前記メンバーにより前記健康管理ツール及び前記記録ツールに記録され、４日目以降に前記メンバーにより前記屋内もしくは前記屋外で作業が行われ、前記管理者は面談マニュアルに基づいて前記スタッフから管理者研修が行われ、５日目以降に前記メンバーにより前記屋内もしくは前記屋外で作業が行われ、前記健康管理ツール、前記情報整理ツール及び前記記録ツールに記録され６日目以降、研修最終日まで前記メンバーにより前記管理者と共に作業が行われ、前記メンバーにより前記健康管理ツール及び前記記録ツールに記録され、所定の日に前記情報整理ツールに基づいた面談と、別の日に定期面談とが前記メンバー及び前記管理者により行われることを特徴としてもよい。
【００２９】
このようにすると、具体的な研修スケジュールにのっとって、メンバーだけでなく顧客企業の管理者も技術面について習得できるだけでなくメンバーへの対処法について習得でき、日々の健康管理ツールや面談により、管理者のメンバーについての理解が深まり、メンバーに寄り添って職責を全うすることができ、それにより、メンバーの定着率を高めることができる。なお、研修スケジュールの日程については適宜伸縮してもよいことはいうまでもない。
【００３０】
本発明の第８の態様として、第７の態様の特定人材定着率向上システムにおいて、前記面談マニュアルは、前記メンバーのやる気を引き出すことを目的とし、互いの考えの確認、慎重な結論、無理のない説得を含み、予定時間を守る旨を含み、最後は励ましの言葉で締め、面談時には前記メンバーの言葉の反復、言い替え、前記メンバーの言い分の認定、５Ｗ１Ｈ型の問い方、肯定質問、長所の具体的な指摘、ワンクッションを置いた忠告の少なくともいずれか一つを含み、前記メンバーが理解しやすい表現を用い、話すスピードは一分間に数百文字程度とし、重要度に応じて抑揚を変え、うなずきやあいづちを用い、話の途中で遮らず、相手の目に時折視線を向け、メモを取る旨の少なくともいずれか一つを含み、面談では批判、説教、命令、無関心、放棄、転嫁、脅迫、もしくは差別用語を行わない旨を含むことを特徴としてもよい。
【００３１】
このようにすれば、管理者のメンバーに対する付き合い方が具体的に示されるので、管理者とメンバーとの間の人間関係を良好に保つことができ、メンバーの定着率向上に寄与する。
【００３２】
なお、本発明の特定人材定着率向上システムにおいて、応募者及びメンバーが健常者ではなく、障がい者、復職者、高齢者、元受刑者もしくは外国人労働者などの特定人材であっても管理者が担当するメンバーの人数が少人数のため目が行き届きやすく、毎日の健康管理シートや面談により、メンバー個人が抱えている悩み事について親密に相談にのることができ、メンバーの定着率向上に寄与する。
【００３３】
本発明の第９の態様は、第１の態様の特定人材定着率向上システムにおいて、
顧客企業側に置かれ、本部の管理担当者が操作する担当者側端末と、
顧客企業側に置かれ、現場の管理者が操作する管理者側端末と、
顧客企業側に置かれ、メンバーが操作するメンバー側端末と、
自社企業側に置かれ、自社企業側のスタッフが操作するスタッフ側端末と、
自社企業側に置かれ、自社企業側の就労者支援を行う者が操作する就労支援者側端末と、
自社企業側に置かれ、自社企業側の技術支援を行う者が操作する技術支援者側端末と、
これらの端末が接続され、システム全体の制御を行う制御部と
を有し、
前記採用前情報入力手段が、前記担当者側端末、前記スタッフ側端末のいずれか一方または両方であり、これらの端末を用いて情報が入力され、
前記採用判断情報提供手段が、前記採用前情報入力手段によって入力された情報に基づき、前記制御部が定着率の高いと予測される特定人材の採否の判断情報を作成し、前記担当者側端末へと出力し、
前記支援情報提供手段が、前記就労支援者側端末、前記技術支援者側端末と、前記制御部とによって作成される支援情報を定着率向上のために管理者側端末及び／またはメンバー側端末へと出力することを特徴としてもよい。
【００３４】
なお、自社企業側端末（スタッフ側端末）から屋内業務環境としての建屋及び設備、もしくは屋外業務環境としての土地について顧客企業が借り受けもしくは購入を選択することもできるので、顧客企業の予算や規模に対応できるので、顧客企業の特定人材の雇用及びその定着についての意欲を高めることができる。
【００３５】
本発明の第１０の態様は、第９の態様の特定人材定着率向上システムにおいて、前記担当者側端末、前記管理者側端末、及び前記自社企業のスタッフ側の端末との間の情報に基づいて設備／部屋の利用状況、施錠開錠、出欠勤、生産状況、室温、湿度、室内照明、蛇口の閉忘れ、ドア開放を管理／監視する管理サーバーを備えたことを特徴としてもよい。
【００３６】
管理サーバーにより設備／部屋の利用状況、施錠開錠、出欠勤、生産状況、室温、湿度、室内照明、蛇口の閉忘れ、ドア開放を管理／監視することにより、自社企業だけでなく、顧客企業の仕事量が減少でき、効率的な運営が期待でき、メンバーへの手厚い対応が可能となり、定着率の向上に寄与する。
【００３７】
本発明の第１１の態様は、第１の態様の特定人材定着率向上システムにおいて、前記応募者を撮像する応募者用撮像手段と、前記応募者用撮像手段で撮像された前記応募者の顔画像を解析する応募者解析手段と、過去の顔画像と健康状態と精神状態との関係を示すデータに基づいて前記応募者の協調性の有無の推定を行う応募者用人工知能と、を備えたことを特徴としてもよい。
【００３８】
ここで、撮像や後述する録音についてはプライバシー権の侵害に該当する恐れがある場合には行わない。このような恐れがない場合には、撮像や録音を行うことも可能である。
【００３９】
このようにすると、撮影された顔画像データから、人工知能を用いて応募者の協調性の有無、程度などの推測をすることができ、採用後の定着率が高いと見込まれる特定人材の採用の判断を支援することができる。
【００４０】
本発明の第１２の態様は、第１の態様の特定人材定着率向上システムにおいて、前記メンバーを撮像するメンバー用撮像手段と、前記メンバー用撮像手段で撮像された前記メンバーの顔画像を解析するメンバー解析手段と、過去の顔画像と健康状態と精神状態との関係を示すデータに基づいて前記メンバーの健康状態、精神面状態の推定及び予測を行うメンバー用人工知能と、を備えたことを特徴としてもよい。
【００４１】
このようにすると、撮影された顔画像データから、人工知能を用いてメンバーの健康状態、精神面状態の推定及び予測を行うことができ、メンバーの定着を阻害する要因を早期に解消することができるため、定着率を高くすることができる。
【００４２】
本発明の第１３の態様は、第１の態様の特定人材定着率向上システムにおいて、前記メンバーを管理／指導する管理者は人工知能を搭載した人型ロボットであることを特徴としてもよい。
【００４３】
このようにすると、ルーチン業務をロボットに任せることで、更にメンバーに対する手厚いサポートが可能となり、メンバーの定着率向上に寄与する。  
【発明の効果】
【００４４】
本発明によれば、障がい者を含む特定人材の採用時及び採用後の支援活動により、定着率を向上させることができ、それにより、顧客企業の特定人材の雇用に関する意欲を高めることができる。
【図面の簡単な説明】
【００４５】
【図１】本発明に係る特定人材定着率向上システムの概念図の一例である。
【図２】図１に示した技術支援者側端末１１ｔ、就労支援者側端末１２ｔ、担当者側端末２１ｔ、管理者側端末２２ｔ、メンバー側端末２３ｔ、２４ｔ、２５ｔのハードウェアブロック図の一例である。
【図３】図１に示した管理サーバー１０のハードウェアブロック図の一例である。
【図４】図１に示した特定人材定着率向上システムの機能ブロック図の一例である。
【図５】図１に示した特定人材定着率向上システムにおいて、管理サーバーを有さない場合における各端末間の信号の授受を示すシーケンス図の一例である。
【図６】図１に示した特定人材定着率向上システムにおいて、管理サーバーを有する場合における各端末間の信号の授受を示すシーケンス図の一例である。
【図７】図１に示した特定人材定着率向上システムを適用した複数の顧客企業用の水耕栽培作業場等の設備の平面図の一例である。
【図８】図７に示した設備における特定人材定着率向上システムの概念図の一例である。
【図９】図８に示した特定人材定着率向上システムにおいて、複数の顧客企業用作業場及び管理サーバーを有する場合における各端末間の信号の授受を示すシーケンス図の一例である。
【図１０Ａ】障がい者面接のフローチャートの一例の一部である。
【図１０Ｂ】図１０Ａの残りである。
【図１１Ａ】作業適正評価シートの一例である。
【図１１Ｂ】健康管理シートの一例の一部である。
【図１１Ｃ】図１１Ｂに示した健康管理シートの残りである。
【図１２】図１１Ｂ及び図１１Ｃに示した健康管理シートについて管理者側端末からメンバー側端末に送られる健康管理シートのフォーマットの一例である。
【図１３】メンバー側端末から管理者側端末に送られる入力済の健康管理シート情報の一例である。
【図１４】メンバー用作業指示書の一例である。
【図１５】管理者側端末からメンバー側端末に作業指示書が送られる際のフローチャートの一例である。
【図１６】メンバー側端末から管理者側端末に作業指示書について理解／納得したか否かの意思表示をする場合のフローチャートの一例である。
【図１７Ａ】情報整理ツールの一例を示すフローチャートの一例である。
【図１７Ｂ】情報整理ツールの一例を示すフローチャートの他の一例である。
【図１８Ａ】情報整理ツールの一例を示すフローチャートの他の一例である。
【図１８Ｂ】情報整理ツールの一例を示すフローチャートの他の一例である。
【図１９】情報整理ツールの一例を示すフローチャートの他の一例である。
【図２０】情報整理ツールの一例を示すフローチャートの他の一例である。
【図２１Ａ】情報整理ツールの一例を示すフローチャートの他の一例である。
【図２１Ｂ】情報整理ツールの一例を示すフローチャートの他の一例である。
【図２２Ａ】情報整理ツールの一例を示すフローチャートの他の一例である。
【図２２Ｂ】情報整理ツールの一例を示すフローチャートの他の一例である。
【図２３Ａ】情報整理ツールの一例を示すフローチャートの他の一例である。
【図２３Ｂ】情報整理ツールの一例を示すフローチャートの他の一例である。
【図２４Ａ】記録ツールのうちの予定表の一例を示すものである。
【図２４Ｂ】記録ツールのうちの今日することを示すものの一例である。
【図２４Ｃ】記録ツールのうちの重要メモの一例を示すものである。
【図２４Ｄ】記録ツールのうちの作業内容記録票の一例を示すものである。
【図２４Ｅ】記録ツールのうちの作業日程表の一例を示すものである。
【図２５】４０穴天板の一例を示す平面図である。
【図２６】２４穴天板の一例を示す平面図である。
【図２７】白カップの一例を示す外観斜視図である。
【図２８】トレーの一例を示す側面部分断面図である。
【図２９】図２８に示したトレーの備品装着前の外観斜視図である。
【図３０】図２９に示したトレーにフィルターを挿入する場合の説明図である。
【図３１】図２９に示したトレーにフィルターを挿入状態の説明図である。
【図３２】図２８に示したトレーにフィルターを挿入した状態を示す外観斜視図である。
【図３３】図２９に示したトレーに注入される原液を収容する蛇口付き容器の一例を示す外観斜視図である。
【図３４】図２９に示したトレーの注入口に挿入されたジョウゴに図３３に示した原液容器からの原液を混合した液体を注入する場合の説明図である。
【図３５】図２９に示したトレーに黒布を配置する場合の説明図である。
【図３６】図３５に示したトレーに青カップを配置する際の説明図である。
【図３７】図３５に示したトレーの黒布上に青カップを配置した場合の一例を示す図である。
【図３８】図３７に示したトレーに４０穴天板を配置する場合の説明図である。
【図３９】図３７に示したトレーに４０穴天板を配置した状態を示す図である。
【図４０】図３９に示したトレーの４０穴天板に（ネオコール（登録商標）を充填した白カップを装着する場合の説明図である。
【図４１】図３９に示した４０穴天板に（ネオコール（登録商標）を充填した白カップを装着した状態を示す部分外観斜視図である。
【図４２】図４１に示したトレーにビニルシートを被せた状態を示す部分外観斜視図である。
【図４３】栽培室の棚に複数のトレーを配置した状態を示す側面図である。
【図４４】トレー内の植物が開花した状態を示す部分外観斜視図である。
【図４５】トレー内の植物が開花した状態の栽培室内の外観斜視図である。
【図４６】乾燥室内の部分外観斜視図の一例である。
【図４７】図４６に示した乾燥室内の乾燥機の扉を開けた状態を示す図である。
【図４８】図４７に示した乾燥機の引き出し内の乾燥後の植物を示す図である。
【図４９Ａ】図４に示した研修スケジュール６６ｅの一例の一部である。
【図４９Ｂ】図４９Ａに示した研修スケジュール６６ｅの残りである。
【図５０Ａ】図４に示した研修スケジュール６６ｅの他の一例の一部である。
【図５０Ｂ】図５０Ａに示した研修スケジュール６６ｅの残りである。
【図５１Ａ】図４に示した研修スケジュール６６ｅの他の一例の一部である。
【図５１Ｂ】図５１Ａに示した研修スケジュール６６ｅの残りである。
【図５２Ａ】図４に示した研修スケジュール６６ｅの他の一例の一部である。
【図５２Ｂ】図５２Ａに示した研修スケジュール６６ｅの残りである。
【図５３Ａ】図４に示した研修スケジュール６６ｅの他の一例の一部である。
【図５３Ｂ】図５３Ａに示した研修スケジュール６６ｅの残りである。
【図５４Ａ】図４に示した研修スケジュール６６ｅの他の一例の一部である。
【図５４Ｂ】図５４Ａに示した研修スケジュール６６ｅの残りである。
【図５５Ａ】図４に示した研修スケジュール６６ｅの他の一例の一部である。
【図５５Ｂ】図５５Ａに示した研修スケジュール６６ｅの残りである。
【図５６Ａ】図４に示した研修スケジュール６６ｅの他の一例の一部である。
【図５６Ｂ】図５６Ａに示した研修スケジュール６６ｅの残りである。
【図５７Ａ】図４に示した研修スケジュール６６ｅの他の一例の一部である。
【図５７Ｂ】図５７Ａに示した研修スケジュール６６ｅの残りである。
【図５８Ａ】図４に示した研修スケジュール６６ｅの他の一例の一部である。
【図５８Ｂ】図５８Ａに示した研修スケジュール６６ｅの残りである。
【図５９】図４に示した研修スケジュール６６ｅの他の一例である。
【図６０】図４に示した研修スケジュール６６ｅの他の一例である。
【図６１】図４に示した研修スケジュール６６ｅの他の一例である。
【図６２】図４に示した研修スケジュール６６ｅの他の一例である。
【図６３】図４に示した研修スケジュール６６ｅの他の一例である。
【図６４】図４に示した研修スケジュール６６ｅの他の一例である。
【図６５】図４に示した研修スケジュール６６ｅの他の一例である。
【図６６】図４に示した研修スケジュール６６ｅの他の一例である。
【図６７】図４に示した研修スケジュール６６ｅの他の一例である。
【図６８】図４に示した研修スケジュール６６ｅの他の一例である。
【発明を実施するための形態】
【００４６】
＜＜構成＞＞
＜システム概念１＞
図１は、本発明に係る特定人材定着率向上システムであって、顧客企業が１社の場合の概念図の一例である。例えば自社企業（以下、ＳＬ社と呼称）が所有する建屋内もしくは屋外に顧客企業としてのＡ社専用の作業場（ＳＬ社内Ａ社用作業場）が配置され、作業場内にＡ社が採用した、例えば３人のメンバー２３〜２５が配属されている。メンバー２３〜２５はＡ社の管理者２２により指導／管理される。管理者２２はＡ社の担当者２１に対し、報告、連絡及び相談をする。各メンバー２３〜２５はメンバー側端末２３ｔ〜２５を所有し、管理者２２は管理者側端末２２を所有し、担当者２１は担当者側端末２１を所有する。各端末１１ｔ、１２ｔ、２１ｔ、２２ｔ、２３ｔ、２４ｔ、２５ｔはネットワーク１により接続可能である。
【００４７】
作業場内に示された帳票類２２ｐは、メンバー２３〜２５のいずれかがメンバー側端末２３ｔ〜２５ｔを忘れたり、バッテリーが切れたり、故障した場合にメンバーにより手書きで記入される書面であり、通常は端末同士の情報の授受により業務指示、健康管理、就労支援、業務支援が行われる。
【００４８】
破線で示すメンバー用撮像部としてのカメラ１０ｇが配置されている場合にはメンバー２３〜２５の表情やしぐさを撮像するものであり、ルーター５８によりＳＬ社の管理サーバー１０に送られ、健康状態や精神状態が解析されるようにしてもよい。
【００４９】
ＳＬ社の事務室１５４（後述する図９参照）にはスタッフ８の他、管理者２２及びメンバー２３〜２５の技術支援を担当する技術支援者１１と、メンバー２３〜２５の就労支援を担当する就労支援者１２とが待機しており、技術支援者１１は技術支援者側端末１１ｔを所有し、就労支援者１２は就労支援者側端末１２ｔを所有している。スタッフ８（図では一人だが複数）はスタッフ側端末８ｔを所有している。
【００５０】
ＳＬ社の栽培室１５８や加工室１５９（図９参照）でＳＬ社が実施した体験会に障がい者が就労体験することができるようになっている。尚、面接室１５５では顧客企業の担当者との面接の前にＳＬ社側単独で予備面接を行うことが可能である。体験会の後に顧客企業の管理者２２もしくは担当者２１と、応募者ａ〜ｃと、ＳＬ社のスタッフ８との間で面接が行われる。
【００５１】
体験会及び面接においては、例えば図１１Ａに示す作業適正シートに基づいて実施される。
作業適正シートには、日付、氏名、記入者名、実施内容、作業能力、及びその他特記事項が記載される。各観察事項は丸で囲むようになっている。
実習の実施内容としては、例えば、播種、補木作成、挿し木、溶液測量、水やり、袋詰め、シール貼り、及びその他が挙げられる。
作業能力の項目としては、例えば、説明の理解力、質問、道具の使用、その他、作業スピードが挙げられる。
説明の理解力の観察事項としては、例えば、見本の提示のあり・なし、口頭説明の観察（１度のみ・質問への返答・各工程に説明・逐次説明）が挙げられる。
質問の観察事項としては、例えば、自ら質問：あり・なし（全くなし・周囲をみる・動作が止まる）、完了報告：あり・なし、用語：適切な文章・短文・単語・言葉なし、確認行動：あり（  …  ）・なしが挙げられる。
【００５２】
道具の使用としては、例えば、はさみをうまく使えるかが挙げられ、
：安全に使用可能・使用時には見守り・使用は差し控える、
切る箇所：適切に切れる・葉のみ切る・違う場所を切る・切り忘れがある、
切り方：正確に切れる・他の茎まで切る・独断で切る・ちぎる・斜めにきれない、
安全性：安全に使用・他を切る・手を切りそう・使用中止、
ピンセット：正確に使用可能・使用時には見守り・正確な使用は難しい、
つまみ方：正しく使用できる・先端がはみ出る・平行に摘めない・潰れる、
挿し方：正しく挿せる・深さが足りない・挿し直す、
メスシリンダー：正確に使用可能・使用時には見守り・正確な使用は難しい、
測り方：測っていない・手に持ったままメモリを確認・水面と平行に見ない、
スプーン：指示通りに使用可能・使用時には見守り・正確な使用は難しい、
【００５３】
その他の項目としては、以下の観察事項が挙げられる。
量の認識：適正・多い・少ない・不均衡・測ることが難しい、
数の認識：適正・声に出して数える・一つずつ数える・数えることが難しい、
操作性：問題を感じない・ぎこちない・震える・握力が足りない、
作業スピードとしては、どの作業も滞りなく行える・作業によりばらつきがある・どの作業も時間がかかる、全ての作業で明らかな遅延がある、
【００５４】
その他、特記事項（上記が観察された状況、他社との関わり等）の記入欄が配置されている。
【００５５】
上記作業適正評価シートは、紙に印刷されたものであるが、管理サーバーから管理者側端末及びスタッフ側端末に実施内容や作業能力について対話形式で配信し、チェックを付けるようにしてもよい。
【００５６】
面接室１５５に応募者用撮像部としてのカメラ１０ｆが配置されている場合には、応募者ａ〜ｃを撮像し、管理サーバー１０で表情やしぐさのパターンを蓄積しておき、人工知能（ＡＩ）を用いて健康状態や精神状態が判断されるようにしてもよい。
【００５７】
＜端末のハードウェアブロック＞
図２は、図１に示した技術支援者側端末１１ｔ、就労支援者側端末１２ｔ、担当者側端末２１ｔ、管理者側端末２２ｔ、メンバー側端末２３ｔ、２４ｔ、２５ｔのハードウェアブロック図の一例である。
【００５８】
各端末１１ｔ〜２５ｔは、メモリ５１、プロセッサ５２、インターフェース５３、入力装置５４、及び出力装置５５を有する。
メモリ５１は、制御プログラムを格納及び展開したり、音声データ、画像データ、もしくは文字データを記憶したりする装置であり、例えばＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、及びＳＳＤ（Ｓｏｌｉｄ  Ｓｔａｔｅ  Ｄｒｉｖｅ）が用いられる。
【００５９】
プロセッサ５２は、各端末１１ｔ〜２５ｔを統括制御する装置であり、例えばＣＰＵ（Ｃｅｎｔｒａｌ Ｐｒｏｃｅｓｓｉｎｇ Ｕｎｉｔ）が用いられる。
【００６０】
インターフェース５３は、各端末１１ｔと外部の通信機器との間で情報を授受するための装置であり、例えば、ＲＦ（Ｒａｄｉｏ  Ｆｒｅｑｕｅｎｃｙ）フロントエンド回路が挙げられる。
【００６１】
入力装置５４は、各端末１１ｔ〜２５ｔを操作するための装置であり、例えば、端末がＰＣ（Ｐｅｒｓｏｎａｌ  Ｃｏｍｐｕｔｅｒ）の場合にはキーボード、テンキー、マウス、マイクが挙げられ、スマートホンの場合にはタッチパネル、マイクが挙げられる。
【００６２】
出力装置５５は、各端末１１ｔ〜２５ｔからの情報を出力するための装置であり、例えば端末がＰＣの場合にはモニター、スピーカー、プリンタが挙げられ、スマートホンの場合にはタッチパネル、スピーカーが挙げられる。
【００６３】
＜管理サーバーのハードウェアブロック＞
図３は、図１に示した管理サーバー１０のハードウェアブロック図の一例である。管理サーバー１０は、主にデータベース１０ａ、プロセッサ１０ｂ、インターフェース１０ｃ、入力装置１０ｄ、及び出力装置１０ｅを有する。管理サーバー１０は、例えば面接時に用いられるカメラ１０ｆと、メンバーのミーティング時に用いられるカメラ１０ｇを備えていてもよい。カメラ１０ｆ、１０ｇは、例えばＣＣＤ（Ｃｈａｒｇｅ  Ｃｏｕｐｌｅｄ  Ｄｅｖｉｃｅ）を用いたデジタルカメラが挙げられる。
【００６４】
＜特定人材定着率向上システムの機能ブロック＞
図４は、図１に示した特定人材定着率向上システムの機能ブロック図の一例である。制御部６９に記憶部６６、判定部７０、及び通信部６５が接続されており、通信部６５に就労者支援側端末７１、技術支援者側端末７３、担当者側端末６１、管理者側端末６２、メンバー側端末群６３、スタッフ側端末群６４、及び不動産情報提供部８０が接続されている。担当者側端末６１、管理者側端末６２、及びメンバー側端末群６３は顧客企業側に属し、それ以外は自社企業側に属する。
【００６５】
制御部６９は、特定人材定着率向上システムを統括制御するものであり、例えば図３に示したプロセッサ１０ｂによって実現される。
【００６６】
記憶部６６は、制御プログラム６６ａ、画像／音声記憶部６６ｂ、面接／面談マニュアル６６ｃ、作業マニュアル６６ｄ、及び研修スケジュール６６ｅを格納するものであり、例えば、図３に示したデータベース１０ａによって実現される。
【００６７】
管理者側端末６２は、自社企業側から提供されるメンバー向け健康管理ツール６２ａ、メンバー向け作業指示ツール６２ｂ、メンバー向け情報整理ツール６２ｃ、及びメンバー向け記録ツール６２ｄを有する物であり、例えば図２に示す端末２２ｔによって実現される。
【００６８】
判定部７０は、例えば面接採用の際にＳＬ社が募集した応募者について、面接で得られた健康状態情報、質疑応答情報、実習の状況に基づいて、顧客企業にふさわしい人材を判定して推薦し、顧客企業の担当者や管理者の判断材料を提供するものであり、例えば図３に示したプロセッサ１０ｂ及びデータベース１０ａによって実現される。但し、応募者を採用する主体は顧客企業側である。
【００６９】
就労支援者側端末７１は、就労支援ツール部７２を有し、就労支援ツール部７２は、例えば健康管理ツールのフォーマット７２ａ、情報整理ツール７２ｂ、及び記録ツール７２ｃを有する物であり、例えば図２に示した端末１２ｔによって実現される。
【００７０】
技術支援者側端末７３は、技術ツール部７４を有し、技術ツール部７４は、例えば作業指示ツールのフォーマット７４ａ、及びトラブル対応ツール７４ｂを有する物であり、例えば図２に示す端末１１ｔによって実現される。健康管理ツールのフォーマット７２ａは管理者側端末６２に送られ、メンバー向け健康管理ツール６２ａとして保存される。作業指示ツールのフォーマット７４ａは管理者側端末６２に送られ、メンバー向け作業指示ツールとして保存される。記録ツールのフォーマット７２ｃは管理者側端末６２に送られ、メンバー向け記録ツールとして保存される。
【００７１】
ここで、担当者側端末２１、スタッフ側端末８ｔのいずれか一方または両方は、システムに採用前の情報を入力する手段（採用前情報入力手段）として機能し、特定人材の採用に際し、採用面接時に得られる健康情報、採用面接時の質疑応答情報、就労体験会での実習状況の情報などの情報を入力させる。
【００７２】
また、採用前情報入力手段によって入力された情報に基づき、制御部６９の一部である判定部７０が、協調性の有無、ビジネスマナーの有無、職務遂行能力の有無などを判断基準として、定着率の高いと予測される特定人材の採否の判断情報を作成し、その結果を担当者側端末２１へと出力する採用判断情報提供手段として機能する。
【００７３】
更に、前記就労支援者側端末７１、前記技術支援者側端末７３、及び制御部７０が、メンバーの定着率を向上させるための就労支援及び技術支援の情報を作成し、管理者側端末６２やメンバー側端末６３へと出力する支援情報提供手段として機能する。
【００７４】
不動産情報提供部８０は、研修及び実務が行われる屋内業務環境もしくは屋外業務環境について自社企業が顧客企業に貸出しもしくは販売に関する不動産情報を提供するものであり、例えば、図３に示したデータベース１０ａ、プロセッサ１０ｂ、及びインターフェース１０ｃによって実現される。
【００７５】
制御プログラム６６ａは、特定人材定着率向上システムを制御統括するプログラムである。画像／音声記憶部６６ｂは、自社企業における応募者面接や障がい者の作業中の画像や音声を記憶したものである。
【００７６】
ここで、応募者用撮像部２４が存在する場合は応募者に対する採用面接の際に応募者の顔やしぐさを撮像することができ、自社企業の人工知能用のデータとして用いることができる。表情やしぐさを解析することで性格や人となりの判断材料として利用可能である。
【００７７】
応募者用人工知能部６８が存在する場合は、応募者の表情、言動、動作のデータから得意な分野や不得意な分野を予測するものであり、面接の判断材料を得ることができる。
【００７８】
メンバー用撮像部７５は、採用後の研修期間中、研修期間終了後の毎朝のミーティングの際にメンバーの顔やしぐさを撮像することでその日の体調を把握するために用いることができる。
【００７９】
メンバー用解析部７６が存在する場合は、メンバー用撮像部で撮像された画像を解析することができる。
【００８０】
メンバー用人工知能部７７が存在する場合は、メンバーの表情やしぐさのデータから行動を予測するものであり、問題や悩みを早期に把握することができる。
【００８１】
遠隔操作部７８が存在する場合は、自社企業側から、複数の顧客企業が利用する作業場、加工室、乾燥室、休憩室、面談室、及び応接室のローテーションや施解錠、照明、空調を遠隔操作することができる。
【００８２】
＜＜動作＞＞
＜管理サーバー無し：各端末間情報処理＞
図５は、図１に示した特定人材定着率向上システムにおいて、管理サーバーを有さない場合における各端末間の信号の授受を示すシーケンス図の一例である。
【００８３】
管理者側端末２２ｔからメンバー側端末２３ｔ（２４ｔ、２５ｔ）に健康管理シートのフォーマットのデータが送信される（ステップＳ５０１）。メンバー側端末２３ｔ（２４ｔ、２５ｔ）ではフォーマットを保存するとともにコピーし、コピーしたフォーマットに項目ごとに記入／選択された健康管理シートのデータが管理者側端末２２ｔに送信される（ステップＳ５０２）。管理者は健康管理シートに目を通し、問題が無ければ管理者側端末２２ｔからメンバー側端末２３ｔ（２４ｔ、２５ｔ）に作業指示書データが送信され、問題があれば適切に対処される（ステップＳ５０３）。
【００８４】
作業開始後、技術的な問題や不明点が生じた場合、管理者側端末２２ｔから技術支援者側端末１１ｔに技術支援情報要求がなされ（ステップＳ５０４）、技術支援者側端末１１ｔから管理者側端末２２ｔに適切な技術支援情報が提供される（ステップＳ５０５）。
【００８５】
また、就労上の問題や不明点が生じた場合、管理者側端末２２ｔから就労支援者側端末１２ｔに就労支援情報要求がなされ（ステップＳ５０６）、就労支援者側端末１２ｔから管理者側端末２２ｔに就労支援情報が提供される（ステップＳ５０７）。
【００８６】
作業終了後、退社前にメンバー側端末２３ｔ（２４ｔ、２５ｔ）から管理者側端末２２ｔに日報／勤怠データが送信される（ステップＳ５０８）。
【００８７】
管理者側端末２２ｔから担当者側端末２１ｔに日次報告情報が送信される（ステップＳ５０９）。
【００８８】
担当者から管理者に業務命令がある場合は担当者側端末２１ｔから管理者側端末２２ｔに指示情報が送信され（ステップＳ５１０）、管理者側端末２２ｔから担当者側端末２１ｔに指示内容回答情報が送信される（ステップＳ５１１）。
【００８９】
尚、メンバー側端末２３ｔ（２４ｔ、２５ｔ）から就労支援者側端末１２ｔや技術支援者側端末１１ｔとの間で技術面や就労面での相談のためのデータの授受は可能である。
【００９０】
＜管理サーバー有り：各端末間情報処理＞
図６は、図１に示した特定人材定着率向上システムにおいて、管理サーバーを有する場合における各端末間の信号の授受を示すシーケンス図の一例である。図６に示したシーケンス図と図５に示したシーケンス図における相違点は、管理サーバーが管理者側端末とメンバー側端末との間のデータを集積する点であり、集積したデータは人工知能処理に用いることができる。尚、顧客企業の端末間の情報処理内容については不要のため管理サーバー１０は集積しない。
【００９１】
管理者側端末２２ｔからメンバー側端末２４ｔ及び管理サーバー１０に健康管理シートのフォーマットのデータが送信される（ステップＳ５２１）。メンバー側端末２３ｔ（２４ｔ、２５ｔ）ではフォーマットを保存するとともにコピーし、コピーしたフォーマットに項目ごとに記入／選択された健康管理シートのデータが管理者側端末２２ｔ及び管理サーバー１０に送信される（ステップＳ５２２）。管理者は健康管理シートに目を通し、問題が無ければ管理者側端末２２ｔからメンバー側端末２３ｔ（２４ｔ、２５ｔ）に作業指示書データが送信され、問題があれば適切に対処される（ステップＳ５２３）。
【００９２】
作業開始後、技術的な問題や不明点が生じた場合、管理者側端末２２ｔから技術支援者側端末１１ｔ及び管理サーバー１０に技術支援情報要求がなされ（ステップＳ５２４）、技術支援者側端末１１ｔから管理者側端末２２ｔ及び管理サーバー１０に適切な技術支援情報が提供される（ステップＳ５２５）。
【００９３】
また、就労上の問題や不明点が生じた場合、管理者側端末２２ｔから就労支援者側端末１２ｔ及び管理サーバー１０に就労支援情報要求がなされ（ステップＳ５２６）、就労支援者側端末１２ｔから管理者側端末２２ｔ及び管理サーバー１０に就労支援情報が提供される（ステップＳ５２７）。
【００９４】
作業終了後、退社前にメンバー側端末２３ｔ（２４ｔ、２５ｔ）から管理者側端末２２ｔに日報／勤怠データが送信される（ステップＳ５２８）。
【００９５】
管理者側端末２２ｔから担当者側端末２１ｔ及び管理サーバー１０に日次報告情報が送信される（ステップＳ５２９）。
【００９６】
担当者から管理者に業務命令がある場合は担当者側端末２１ｔから管理者側端末２２ｔに指示情報が送信され（ステップＳ５３０）、管理者側端末２２ｔから担当者側端末２１ｔに指示内容回答情報が送信される（ステップＳ５３１）。
【００９７】
＜複数の顧客企業用作業場等＞
図７は、図１に示した特定人材定着率向上システムを適用した複数の顧客企業用の水耕栽培作業場等の設備の平面図の一例である。
【００９８】
図７において、建屋内に事務室１５４、面談室１５５、応接室１５６、エアーシャワールーム１６４、複数の企業向けの栽培室１５８、各企業共用の加工室１５９、各企業共用の乾燥室１６０、各企業共用の休憩室１５７、玄関１５２、各企業共用のロッカールーム１５３、及び各企業共用のトイレ１５１が配置されている。１６１はドアであり、１６２は引戸である。１６３は電子レンジや冷蔵庫であるが限定されるものではなく、テレビジョン受像機や給茶セット、茶葉等が配置されていてもよい。
【００９９】
エアーシャワールーム１６４は外部から栽培室１５８内に虫や塵芥が侵入することを防止するための設備である。特に害虫は植物に病原菌を媒介する恐れがあるため、足ふきマットや吸着マットを用いるのが好ましい。栽培室１５８は、水耕栽培を行うための設備であり、エアコン及び加湿器により温度／湿度が水耕栽培に適するように調整可能である。栽培室には複数の棚１６４があり、上部に例えば、タイマーでオンオフ可能なＬＥＤ照明が配置されている。乾燥室１６０は、棚１９２に複数の乾燥機２８０が配置されており、栽培された植物（主にハーブ）を乾燥させることが可能な設備である。加工室１５９は、流しやテーブル１９１が配置されており、裁断、計量、及び袋詰め作業が可能な設備である。面談室１５５は、メンバー、管理者、もしくはスタッフが面談を行うための設備である。事務室１５４は、自社企業のスタッフが常駐し、各顧客企業の面接採用、管理者及びメンバーの研修、作業のサポートを行う。
【０１００】
＜複数の顧客企業用作業場を有する特定人材定着率向上システム＞
図８は、図７に示した設備における特定人材定着率向上システムの概念図の一例である。図８に示した特定人材定着率向上システムと、図１に示した特定人材定着率向上システムとの相違点は、自社企業内顧客企業用作業場が複数配置されている点である。
【０１０１】
自社企業としてのＳＬ社の管理サーバー１０に管理者側端末２２ｔ、…、３２ｔ、メンバー側端末２３ｔ、２４ｔ、２５ｔ、…、３３ｔ、３４ｔ、３５ｔ、技術支援者側端末１１ｔ、就労支援者側端末１２ｔ、及びスタッフ側端末２２ｔが接続されており、各顧客企業内で管理者側端末とメンバー側端末との間でデータの授受が行われる。各企業の端末と他の企業の端末とはデータの授受や会話は行われないものとする。各企業の作業場内での業務は各企業内で行われ、共有設備の使用に関する企業間の調整は自社企業のスタッフや管理サーバー１０で処理される。
【０１０２】
＜複数の顧客企業用作業場有り：各端末間情報処理＞
図９は、図８に示した特定人材定着率向上システムにおいて、複数の顧客企業用作業場及び管理サーバーを有する場合における各端末間の信号の授受を示すシーケンス図の一例である。図９に示したシーケンス図と図６に示したシーケンス図における相違点は、各顧客企業による設備の運用を管理サーバーが処理する点である。
【０１０３】
ステップＳ５２１〜ステップＳ５３１までは図６と同様であるため、説明を省略する。
【０１０４】
各顧客企業の管理者側端末２２ｔ、…から管理サーバー１０に対し、例えば栽培室１５８、乾燥室１６０、加工室１５９、休憩室１５７、応接室１５６及び面談室１５５の使用希望日時について第一志望、第二志望、第三志望、…の設備使用許可要求信号を送信する（ステップＳ１０００）と、管理サーバー１０は栽培室１５８、乾燥室１６０、加工室１５９、休憩室１５７、応接室１５６及び面談室１５５の最適な運用のデータを作成し、各管理者側端末２２ｔ、…に送信する（ステップＳ１００１）。設備の最適な運用のデータの作成には人工知能を用いてもよい。
【０１０５】
面接／面談マニュアル６６ｃは、例えば、応募者が障がい者の場合における面接や採用後のメンバーに対する面談のためのマニュアルであり、図１０Ａ、図１０Ｂを用いて説明する。
【０１０６】
＜障がい者面接について＞
図１０Ａは、障がい者面接のフローチャートの一例の一部であり、図１０Ｂは図１０Ａの残りである。動作の主体は管理サーバーのプロセッサ１０ｂである。図１０Ａに示すように自社企業による障がい者向けの就労体験会の予定情報を就労支援移行機関、福祉就学作業所、ハローワーク、ＮＰＯ法人、養護学校に連絡／配信し（ステップＳ８１）、就労体験会への参加の希望者が有るか否か判断し（ステップＳ８２）、参加希望者の連絡が無ければ待機し（ステップＳ８２／ＮＯ）、参加希望者がある場合（ステップＳ８２／ＹＥＳ）、参加者名及び所属団体名を記録する（ステップＳ８３）。ＳＬ社による就労体験会が実施されると（ステップＳ８４）、就労体験会の撮像及び録音が行われる（ステップＳ８５）。
【０１０７】
尚、前述した撮像や録音についてはプライバシー権の侵害に該当する恐れがある場合には行わない。このような恐れがない場合には、撮像や録音を行うことも可能である。
【０１０８】
一方、顧客企業による障がい者等の募集が行われる（ステップＳ７１）と、顧客企業関係者及び自社企業スタッフによる応募者／体験者の作業実習及び面接が実施され（ステップＳ７２）、その様子は例えば、スチールカメラ／ビデオカメラ及び音声レコーダにより画像及び音声が記録される（ステップＳ７３）。
【０１０９】
応募者／体験者による作業実習の観察結果、及び質疑応答の結果の端末への入力が行われ（ステップＳ７４）、総合評価が良好か、否かが判断される。ここで、総合評価とは、協調性の有無、ビジネスマナーの有無、服装、髪型、髪色、ハサミが使えるか、すなわち採用後に職務を遂行できるか否かが判断される。採用後にトラブルが生じることを防止するためである（ステップＳ７５）。応募者／体験者の総合評価のデータが端末に入力される（ステップＳ７６）。顧客企業の関係者による応募者／体験者の採否判定が記録される（ステップＳ７７）。
【０１１０】
ここで、障がい者面接における質問例について以下に述べる。
【０１１１】
これは、質問の仕方によっては障がい者を傷つけたり、障がい者の家族から訴えられたりすることを防止するためである。人工知能を用いる場合には、質疑応答の内容に差別用語、放送禁止用語、威嚇的発言、脅迫的発言が含まれていることを検知すると管理者側端末やスタッフ側端末にて警告音や警告表示を発するようにしてもよい。
【０１１２】
＜質問例について＞
面接や面談における質問例として「日々体調管理を心がけていますか。」と問いかかることが挙げられる。この場合のポイントとしては、日常生活のリズムについて把握し、何時に起きて、どのような生活をしているか、食事のタイミングが整っているか、睡眠のリズムが安定しているか、が挙げられる。
【０１１３】
また、他の質問の一例として「どのような時（季節や天候）、またはどのような場面（雑踏の中や新しい環境等）で症状がでやすいですか。」と問いかけることが挙げられる。この場合のポイントとして、通勤能力について把握する。特に長時間通勤の場合には妥当性について確認が必要である。
【０１１４】
また、他の一例として「○〇については経験が無いようですが、不安や心配はありませんか。」と問いかけることが挙げられる。この場合のポイントとして、以前はどのようなことができていたかではなく、現在どのような作業能力を持っているかを確認することが必要である。
【０１１５】
さらに他の一例として「長期就労をするために、どのような工夫をしようと考えていますか。」と問いかけることが挙げられる。この場合のポイントとして、長時間にわたって作業能力を発揮するために、休憩の取得のタイミングや必要な休憩時間について確認することが必要である。
【０１１６】
さらに、また他の一例として「ご自身の病気についてお医者さんからどのような説明がありましたか。」、「ご自身の病気に関して現在どのような症状があると思いますか。」と問いかけることが挙げられる。この場合のポイントとして、主治医からの説明と障がい者自身で認識している症状についての乖離が無いか否かを確認することが必要である。
【０１１７】
作業マニュアル６６ｂについては、例えば作業が水耕栽培の場合のマニュアルであり、後述する。
【０１１８】
研修スケジュール６６ｃは、研修期間におけるメンバー、管理者、及びＳＬ社のスタッフの日々の作業内容について示したものであり、後述する。
【０１１９】
就労支援ツール部７２の健康管理ツール７２ａは、メンバーの日々の健康状態を管理するためのツールであり、健康管理シートやフローチャートで示される。健康管理シートについて図１１Ｂ及び図１１Ｃを参照して説明する。
【０１２０】
図１１Ｂは健康管理シートの一例の一部であり、図１１Ｃは図１１Ｂに示した健康管理シートの残りである。
【０１２１】
但し、図１１Ｂ及び図１１Ｃに示すメンバー向け健康管理シートは、メンバー側端末が故障したり、バッテリーが上がったり、忘れたりした場合にメンバーにより記入される紙の帳票の一例であり、通常は端末同士のデータの授受により行われる。
【０１２２】
健康管理ツールとしての健康管理シートは、左端から日付、昨日の夕食、昨日の夕食を食べた時間、お酒を飲んだか否か、お風呂に入ったか否か、お薬を飲んだか否か、寝た時間、起きた時間、睡眠の質、今日の朝食を食べたか否か、今の体調はどうなのか、及び今日面談をしたいのか否かについてメンバーが出勤日毎に記入／選択するようになっている。記入／選択された健康管理シートは管理者に渡される。管理者は健康管理シートに記載された内容からメンバーの健康状態を把握することができる。また、メンバーの中には面談をしたくても口頭では伝えることが苦手ではあっても、文書やメールでは伝えられる性格の人もいるため、文書や端末が活用されている。管理者はメンバーとの面談により仕事上の悩みや人間関係の悩みを解決することが可能であり、メンバーに寄り添うことで定着率の向上が期待できる。
【０１２３】
＜管理者側端末からメンバー側端末へ＞
図１２は、図１１Ｂ及び図１１Ｃに示した健康管理シートについて管理者側端末からメンバー側端末に送られる健康管理シートのフォーマットの一例である。
【０１２４】
例えば、顧客企業の管理者及び自社企業のスタッフにより予め、日付入力欄、昨日の夕食の摂食状況入力欄、昨日の夕食の時間入力欄、昨日の飲酒の有無入力欄、昨日の入浴状況入力欄、服薬状況入力欄、就寝時刻入力欄、睡眠の質入力欄、今日の朝食の摂食状況入力欄、今の体調入力欄、及び今日の面談を希望するか否かの入力欄のうち少なくともいずれか一つを選択し（ステップＳ２０１）、修正が無ければ（ステップＳ２０２／ＮＯ）、メンバー側端末に送信し（ステップＳ２０３）、修正が有れば（ステップＳ２０２／ＹＥＳ）、ステップＳ２０１に戻る。
【０１２５】
＜メンバー側端末→管理者側端末＞
図１３は、メンバー側端末から管理者側端末に送られる入力済の健康管理シート情報の一例である。顧客企業の管理者及び自社企業のスタッフにより予め、日付入力欄、昨日の夕食の摂食状況入力欄、昨日の夕食の時間入力欄、昨日の飲酒の有無入力欄、昨日の入浴状況入力欄、服薬状況入力欄、就寝時刻入力欄、睡眠の質入力欄、今日の朝食の摂食状況入力欄、今の体調入力欄、及び今日の面談を希望するか否かの入力欄のうちの選択された項目について、メンバー側端末に入力され（ステップＳ２２１）、管理者側端末に送信される（ステップＳ２２２）。
【０１２６】
管理者は各メンバーから送られた健康管理シートの入力情報から健康状態や精神状態や何等かのサインや面談希望を把握し、体調不良や人間関係や職責を全うする上で問題がある場合には帰宅指示や受診指示や相談する等即座に対処することができる。
【０１２７】
メンバー向け作業指示ツール６２ｂは、メンバーの日々の作業内容を指示するためのツールであり、メンバー用作業指示書やフローチャートで示される。メンバー用作業指示書について図１４を参照して説明する。
【０１２８】
図１４は、メンバー用作業指示書の一例である。但し、図１４に示すメンバー用作業指示書は、メンバー側端末が故障したり、バッテリーが上がったり、忘れたりした場合に管理者からメンバーに手渡しされ、メンバーにより直接記入される紙の帳票の一例であり、通常は端末同士のデータの授受により行われる。
【０１２９】
メンバー用作業指示書には、年月日、作業指示者（管理者）、作業指示者の捺印、連絡先（端末電話番号）、作業場所、作業者（メンバー名）、作業内容、詳細が記載され、給水や播種・挿し木等のチェック欄に作業指示者からのチェックが記入／選択され、その他の作業指示がある場合には作業指示が記入／選択され、連絡事項がある場合には記入／選択され、管理者からメンバーに直接手渡される。メンバーはメンバー用作業指示書を確認して職責を全うすることになる。
【０１３０】
＜管理者側端末からメンバー側端末へ＞
図１５は、管理者側端末からメンバー側端末に作業指示書が送られる際のフローチャートの一例である。管理者側端末からメンバー側端末に、日付が入力／選択され（ステップＳ１０１）、連絡先が入力され（ステップＳ１０２）、作業場所が入力され（ステップＳ１０３）、作業者名、作業内容、及び詳細入力情報が入力され（ステップＳ１０４）、給水／播種・挿し木／鉢の入れ替え＋枯葉の除去／枯葉の除去＋資材作り／加工物作成のうちチェックボックス内へのチェックが入力され（ステップＳ１０５）、その他の作業指示、連絡事項が入力され（ステップＳ１０６）、メンバー側端末に送信される（ステップＳ１０７）。
【０１３１】
＜メンバー側端末から管理者側端末へ＞
図１６は、メンバー側端末から管理者側端末に作業指示書について理解／納得したか否かの意思表示をする場合のフローチャートの一例である。メンバー側端末に、日付、連絡先、作業場所、作業者名、作業内容、詳細、給水／播種・挿し木／鉢の入れ替え＋枯葉の除去／枯葉の除去＋資材作り／加工物作成のうちのチェックボックス、その他の作業指示、及び連絡事項の表示がされ（ステップＳ１１１）、メンバーが作業指示内容を理解／納得した場合（ステップＳ１１２／ＹＥＳ）、作業指示を確認した旨を管理者側端末に送信し（ステップＳ１１３）、理解／納得できなかった場合、すなわち疑問点が生じた場合（ステップＳ１１２／ＮＯ）には疑問点が管理者側端末に送信され（ステップＳ１１４）、管理者側端末から回答される（ステップＳ１１５）。
【０１３２】
＜情報整理ツール：生活習慣・健康状態編＞
情報整理ツールについて述べる。情報整理ツールは、メンバーが歩んだ人生や人となりを管理者が把握するためのツールであり、例えば、生活習慣・健康状態編、日常生活編、周囲との関わり編、学校生活編、仕事編、病気（障がい）編、及びストレス、疲労編を含むものである。情報整理ツールは、例えば研修期間中に１回実施し、１週間後に管理者とメンバーもしくはスタッフとの間の面談資料となるものであり、仕事を通じてメンバーに寄り添うことができ、定着率の向上が図れる。
【０１３３】
図１７Ａ、図１７Ｂ、図１８Ａ、図１８Ｂ、図１９、図２０、図２１Ａ、図２１Ｂ、図２２Ａ、図２２Ｂ、図２３Ａ、図２３Ｂは、情報整理ツールの一例を示すフローチャートの一例である。
【０１３４】
図１７Ａに示すようにメンバー側端末にフローチャートに示される問いかけが表示され、メンバーの操作により必要事項が入力される。動作の主体は管理サーバー１０のプロセッサ１０ｂである。尚、以下のフローチャートにおいて少なくともいずれか一つのステップであってもよい。
【０１３５】
メンバーにメンバー側端末を介してタバコを吸うか否かが問われ（ステップＳ４０１）、メンバーがタバコを吸う場合（ステップＳ４０１／ＹＥＳ）、１日当たりの本数がメンバー側端末に入力され（ステップＳ４０２）、メンバーがタバコを吸わない場合（ステップＳ４０１／ＮＯ）、酒を飲むか否かが問われ（ステップＳ４０３）、メンバーが酒を飲む場合（ステップＳ４０３／ＹＥＳ）、１日当たりの飲酒量がメンバー側端末に入力され（ステップＳ４０４）、メンバーが酒を飲まない場合（ステップＳ４０３／ＮＯ）、睡眠時間を入力する旨がメンバー側端末に表示される。
【０１３６】
メンバーによって睡眠時間がメンバー側端末に入力されると（ステップＳ４０５）、夜眠れないことがあるか否かが問われ（ステップＳ４０６）、メンバーが夜眠れないことがある場合（ステップＳ４０６／ＹＥＳ）、頻度が入力され（ステップＳ４０７）、メンバーが夜眠れないことがない場合（ステップＳ４０６／ＮＯ）、生活リズムは一定か否かが問われる（ステップＳ４０８）。
【０１３７】
メンバーの生活リズムが一定でない場合（ステップＳ４０８／ＮＯ）、週当たりの度合いが入力され（ステップＳ４０９）、メンバーの生活リズムが一定の場合（ステップＳ４０８／ＹＥＳ）、１日の中での体調の良い時間帯がメンバーによって入力され（ステップＳ４１０）、食生活は規則的か否かが問われる（ステップＳ４１１）。
【０１３８】
生活リズムが一定でない場合には、何らかの病気や人間関係に問題が生じた場合のサインである場合があり、管理者がメンバーに様子を聞くきっかけとなりえる。
【０１３９】
メンバーの食生活が規則的でない場合（ステップＳ４１１／ＮＯ）、１日あたりの食事の回数がメンバーによって入力されてステップＳ４１３に進み（ステップＳ４１２）、メンバーの食生活が規則的な場合（ステップＳ４１１／ＹＥＳ）、食欲の有無・程度がメンバーによって入力される（ステップＳ４１３）。
【０１４０】
食欲の有無は、何らかの病気や人間関係に問題が生じた場合のサインである場合があり、管理者がメンバーに様子を聞くきっかけとなりえる。
【０１４１】
図１７Ｂに示すように体重が５ｋｇ以上変化したことが有るか否かがメンバーに問われ（ステップＳ４１４）、メンバーの体重が５ｋｇ以上変化したことが有る場合（ステップＳ４１４／ＹＥＳ）、メンバーによって体重が５ｋｇ以上変化した時期が入力されてステップＳ４１６に進み（ステップＳ４１５）、メンバーの体重が５ｋｇ以上変化したことが無い場合（ステップＳ４１４／ＮＯ）、スポーツをしているか否かが問われる（ステップＳ４１６）。
【０１４２】
体重の変化は肉体的に問題（例えば。何らかの病気やストレス増加）が生じた場合のサインである場合があり、管理者がメンバーに様子を聞くきっかけとなりえる。
【０１４３】
メンバーがスポーツをしている場合（ステップＳ４１６／ＹＥＳ）、メンバーによって程度・内容が入力されてステップＳ４１８に進み（ステップＳ４１７）、メンバーがスポーツをしていない場合（ステップＳ４１６／ＮＯ）、腰痛、肩こり、アレルギーが有るか否かが問われ（ステップＳ４１８）、メンバーに腰痛、肩こり、アレルギーがある場合（ステップＳ４１８／ＹＥＳ）、メンバーによって症状が入力されてステップＳ４２０に進む（ステップＳ４１９）。メンバー側端末に伸長・体重・血圧・握力が入力されて終了する（ステップＳ４２０）。
【０１４４】
＜情報整理ツール：日常生活編＞
図１８Ａ、図１８Ｂに示すように、メンバー側端末に、家族、友人、自分、社会との関係、親交関係、自分の成長、健康、仕事、余暇、子育て、スピリチュアルの中で一番大切なものを選択して入力（複数選択可）する旨の表示がなされ（ステップＳ１）、メンバーによってメンバー側端末に、好きなもの、興味があること（食べ物、色、場所、活動等）が入力される（ステップＳ２）。
【０１４５】
メンバー側端末に、「日常生活の中で多くの時間を費やしているものを以下から選択して入力（複数選択可）
（スポーツ観戦、ドライブ、スポーツ（体を動かす）、ボランティア、入浴・シャワー、掃除、散歩、旅行、サイクリング、食事（つまみ食い）、ゲーム、アロマテラピー、温泉、音楽鑑賞、キャンプ、美術館・博物館巡り、ビデオ・ＤＶＤ鑑賞、パチンコ、天体観測、観劇、楽器演奏、作文、外国語、友人との会話、カラオケ、料理・菓子作り、絵画・イラスト、テレビ鑑賞、喫茶、飲酒、映画鑑賞、買物、書道、ネットサーフィン、漫画・週刊誌、喫煙、茶道、アクセサリー作り・編物、読書、競馬・競輪・競艇、特になし）との表示がなされ（ステップＳ３）、メンバー側端末に、多くの時間を費やしていることの中で「安心すること」と「生きがいに感じること」を分けて入力する旨の表示がされ（ステップＳ４）、メンバー側端末に、現在の余暇の過ごし方と、余暇を過ごした後の気持ちの変化とが入力される（ステップＳ５）。
【０１４６】
メンバー側端末に、「余暇の過ごし方について、以下のうちの当てはまるものを一つ選択
・必要に応じて家族や友人と予定の調整をし、計画をたてる
・自分で計画は立てないが、家族や友人から誘われたら参加する
・自分で計画を立てる
・家族や友人に誘われても参加しないことが多い
・自分で計画は立てないが、家族や友人に対して計画を立てたり誘ってくるように頼んだりする
・その他」
【０１４７】
＜情報整理ツール：周囲との関わり編＞
図１９に示すように、メンバー側端末に、「日頃相談をする人について、最も多く相談する人について、関係性、相談頻度、相談内容、病気（障がい）への理解」について入力する旨が表示され（ステップＳ１１）、続いて「現在利用している医療機関や相談機関の名称、利用頻度、利用目的、利用中のエピソード」について入力する旨が表示され（ステップＳ１２）、続いて「日頃相談したいと思いながらも相談できない人について、関係性、その人をどのように思っているか、その人は、あなたをどのように思っていると感じるか、病気（障がい）への理解について入力する」旨が表示され、メンバー側端末に入力される（ステップＳ１３）。
【０１４８】
＜情報整理ツール：学校生活編＞
図２０に示すように、メンバー側端末に、「小学校（名称）、在籍期間、授業の難易度、友人関係、学校生活の満足度、出席状況、楽しかったこと、辛かったこと」について入力する旨が表示され（ステップＳ２１）、続いて「中学校（名称）、在籍期間、授業の難易度、友人関係、学校生活の満足度、出席状況、楽しかったこと、辛かったこと」について入力する旨が表示され（ステップＳ２２）、中学卒業後高校に進学した場合（ステップＳ２３／ＹＥＳ）、「高校（名称）、在籍期間、授業の難易度、友人関係、学校生活の満足度、出席状況、楽しかったこと、辛かったこと」について入力する旨が表示され（ステップＳ２４）、高校卒業後大学等に進学した場合（ステップＳ２５／ＹＥＳ）、「大学・短大・専門学校（名称）、在籍期間、授業の難易度、友人関係、学校生活の満足度、出席状況、楽しかったこと、辛かったこと」について入力する旨が表示される（ステップＳ２６）。
【０１４９】
＜情報整理ツール：仕事編＞
図２１Ａ、図２１Ｂに示すように、メンバー側端末に転職歴が有るか否かを問う旨の表示がなされ（ステップＳ３１）、メンバーに転職歴がない場合（ステップＳ３１／ＮＯ）、「事業所名、雇用形態、在職期間、勤務時間、休日、給与額、仕事内容、仕事の難易度、仕事の忙しさ、職場の人間関係、満足度」について入力する旨の表示がなされ（ステップＳ３２）、メンバーに転職歴がある場合（ステップＳ３１／ＹＥＳ）、事業所名、雇用形態、在職期間、勤務時間、休日、給与額、仕事内容、仕事の難易度、仕事の忙しさ、職場の人間関係、満足度、退職理由」について入力する旨の表示がなされ（ステップＳ３３）、転職歴がある場合、他に転職歴が有るか否かが問われ（ステップＳ３４）、続いて「今までの職場でやりがいを感じたり楽しかったりしたこと」について入力する旨の表示がなされ（ステップＳ３５）、続いて「今までの職場で大変だったことや嫌だったことについて、事業所名、次期、及び内容」について入力する旨の表示がされる（ステップＳ３６）。
【０１５０】
続いて
「当てはまることについて一つだけ選択
・必要に応じて上司や同僚と相談し、作業計画を立て、作業を進める
・上司や同僚に対して自分から作業指示を仰ぎ、与えられた指示にそって作業を進める
・自分だけで作業計画を立て、作業を進める
・上司や同僚から作業指示をされるまで待つ」の表示がなされ（ステップＳ３７）、続いて「将来、してみたい仕事」について入力する旨の表示がなされ（ステップＳ３８）、続いて「希望の勤務時間を選択
・１日の中で１〜３時間
・１日の中で３〜６時間
・１日の中で６〜８時間
・何時間でもよい
・分からない
・できれば働きたくない
・その他（  ）」の表示がなされる（ステップＳ３９）。
【０１５１】
ここで、メンバーが「できれば働きたくない」と回答した場合、例えばメンバーもしくは管理者から虐めが有ったか否か、そもそも人間性に問題があるのか、仕事量が多すぎると感じているか見極める必要があり、例えばメンバーと自社企業のスタッフとが個別に相談したうえでどのような対応をするか判断することが挙げられる。
【０１５２】
＜情報整理ツール：病気（障がい）編＞
図２２Ａ、図２２Ｂに示すように、メンバー側端末に、「病気（障がい）について、発症（受傷）した時期、場所、原因、表れた感情（思考）」について入力する旨が表示され（ステップＳ４１）、続いて「発症（受傷）時に相談した人の有無、相談者との関係」について入力する旨の表示がされ（ステップＳ４２）、続いて「初めて受診した時期、医療機関、医療機関での説明、障がい者手帳取得時期、障がい者手帳の取得理由、障がい者手帳を取得して感じたこと」について入力する旨が表示される（ステップＳ４３）。
【０１５３】
続いて「入院履歴、医療機関名、入院期間、入院理由、治療・リハビリテーション（以下、リハビリ）、あれば入院中のエピソード」について入力する旨の表示がされ（ステップＳ４４）、続いて「リハビリについての機関名、利用期間、リハビリの内容」について入力する旨の表示がされ（ステップＳ４５）、続いて、「通院医療機関名、通院期間、担当医師からの説明、担当医師についての感想、医療機関を変更した場合の理由」について入力する旨の表示がされる（ステップＳ４６）。
【０１５４】
続いて「病気が再発（症状が悪化）した時期、場所、原因、生じた感情」について入力する旨が表示され（ステップＳ４７）、続いて「病気の悪化に気付くサインの有無、自覚している病気悪化のサイン、周囲から指摘される病気悪化のサイン」について入力する旨が表示され（ステップＳ４８）、続いて「発症（受傷）する前に比べて変化した点と対処方法、日常生活で障がいを感じる点と対処方法」について入力する旨の表示がされ（ステップＳ４９）、続いて「薬の銘作用、服薬量／１日、服薬のタイミング、薬の効能、副作用、注意点」について入力する旨が表示される（ステップＳ５０）。
【０１５５】
続いて、「薬の管理」について該当する点について入力
・自分で管理をし、飲み忘れることはない
・自分で管理をしているが、たまに飲み忘れる
・薬を飲み忘れる時があるため、家族が管理している
・体調が良いと思った時は飲まない
・その他について、
入力する旨が表示される（ステップＳ５１）。
【０１５６】
＜情報整理ツール：ストレス、疲労編＞
図２３Ａ、図２３Ｂに示すように、メンバー側端末に、「ストレスを感じる場面、その時の感情、対処行動、状況や環境の変化、自分の感情や思考」について入力する旨が表示され（ステップＳ６１）、続いて「疲れを感じた時の行動について一つを選択して入力
・自分で判断し、休憩をとる
・上司から休憩を取るよう声をかけられても休憩を取らない
・休憩の許可を上司に確認
・休憩を取らず、我慢する
・上司から休憩をとるように声をかけられたら休憩を取る
・その他（  ）」について入力する旨が表示される（ステップＳ６２）。
【０１５７】
続いて、「ストレスや疲れを感じている時に現れるサインについて選択して入力
・眠くなる  ・物がぼやけて見える  ・姿勢が崩れる  ・声が大きくなる  ・不安になる  ・ない  ・あくびが出る  ・手または足が震える  ・溜息が出る  ・声が小さくなる  ・イライラする  ・分からない  ・頭が痛くなる  ・手や腕がだるくなる  ・貧乏ゆすりをする  ・偏見が気になる  ・やる気がなくなる  ・頭が重くなる  ・腰が痛くなる  ・独り言が増える  ・口調や話し方が変わる  ・考えがもとまらなく  ・頭がボーッとする  ・全身が怠くなる  ・よそ見が増える  ・周囲の視線が気になる  ・周囲の話が気になる  ・目が疲れる  ・肩がこる  ・表情が固くなる  ・不愉快な考えが頭に浮かぶ  ・能率が下がる  ・汗が出る  ・その他（  ）」について入力する旨が表示される（ステップＳ６３）。
【０１５８】
続いて、「疲れが生じやすい作業環境、作業内容、作業時間」について入力する旨が表示され（ステップＳ６４）、「意欲的に作業ができる場面」について入力する旨が表示される（ステップＳ６５）。
【０１５９】
次に記録ツールについて述べる。記録ツールは、メンバーが仕事上で取得した技術について記録しておくためのものであり、例えば、すべきことを確認したり、目標値と作業結果とを比較したり、重要事項を記録するものである。記録ツールについては、紙の場合で説明するが、例えば端末に対話形式で表示される項目にメンバーが入力／選択するように構成してもよい。
【０１６０】
以下、図２４Ａ、図２４Ｂ、図２４Ｃ、図２４Ｄ、及び図２４Ｅを参照して説明する。
【０１６１】
＜記録ツール１／５＞
図２４Ａは、記録ツールのうちの予定表の一例を示すものであり、管理者側端末からメンバー側端末に編集可能な画像データとして送られるが、メンバーが直接ペン書き可能な書面であってもよい。
【０１６２】
予定表には日付、時間、内容、場所の記入欄、今日することの記入欄、作業完了を示すチェック欄、及びメモ欄が記載されている。
【０１６３】
＜記録ツール２／５＞
図２４Ｂは、記録ツールのうちの今日することを示すものの一例であり、例えば、日付、期限、内容、及びレ点（作業完了）が項目として挙げられている。この記録ツール２／５も、管理者側端末からメンバー側端末に編集可能な画像データとして送られるが、メンバーが直接ペン書き可能な書面であってもよい。
【０１６４】
＜記録ツール３／５＞
図２４Ｃは、記録ツールのうちの重要メモの一例を示すものであり、例えば番号と日付と記録欄があげられている。この記録ツール３／５も、管理者側端末からメンバー側端末に編集可能な画像データとして送られるが、メンバーが直接ペン書き可能な書面であってもよい。
【０１６５】
＜記録ツール４／５＞
図２４Ｄは、記録ツールのうちの作業内容記録票の一例を示すものであり、例えば、日付、作業名、作業の目的・目標、使用機器・材料、作業手順（作業のポイント）、及び作業の留意点が項目として挙げられている。この記録ツール４／５も、管理者側端末からメンバー側端末に編集可能な画像データとして送られるが、メンバーが直接ペン書き可能な書面であってもよい。
【０１６６】
＜記録ツール５／５＞
図２４Ｅは、記録ツールのうちの作業日程表の一例を示すものであり、例えば、日付、午前午後、予定時間／実働時間、作業名、目標値／作業結果、作業内容・使用機器等、留意点、感想、及び評価が項目として挙げられる。記録ツールはメンバーがメモ書き程度に用いるものではなく、メンバーの仕事に対する姿勢を読み取るとともに、管理者が加筆訂正したり評価をしたりすることでメンバーの向上心を刺激することができ、仕事への理解を深めることができる。
【０１６７】
＜作業マニュアル＞
次に作業マニュアルについて図面を参照して説明する。尚、作業マニュアル６６ｄ（図４）は文章データだけでなく画像データがあってもよい。
【０１６８】
図２５〜図４８は、作業マニュアルを説明するための説明図の一例である。図２５は、４０穴天板の一例を示す平面図であり、図２６は、２４穴天板の一例を示す平面図であり、図２７は、白カップの一例を示す外観斜視図であり、図２８は、トレーの一例を示す側面部分断面図である。図２９は、図２８に示したトレーの備品装着前の外観斜視図であり、図３０は、図２９に示したトレーにフィルターを挿入する場合の説明図であり、図３１は、図２９に示したトレーにフィルターを挿入する状態の説明図である。図３２は、図２８に示したトレーにフィルターを挿入した状態を示す外観斜視図であり、図３３は、図２９に示したトレーに注入される原液を収容する蛇口付き容器の一例を示す外観斜視図であり、図３４は、図２９に示したトレーの注入口に挿入されたジョウゴに図３３に示した原液容器からの原液を混合した液体を注入する場合の説明図である。図３５は、図２９に示したトレーに黒布を配置する場合の説明図であり、図３６は、図３５に示したトレーに青カップを配置する際の説明図であり、図３７は、図３５に示したトレーの黒布上に青カップを配置した場合の一例を示す図である。図３８は、図３７に示したトレーに４０穴天板を配置する場合の説明図であり、図３９は、図３７に示したトレーに４０穴天板を配置した状態を示す図である。図４０は、図３９に示したトレーの４０穴天板にネオコール（登録商標）を充填した白カップを装着する場合の説明図であり、図４１は、図３９に示した４０穴天板にネオコール（登録商標）を充填した白カップを装着した状態を示す部分外観斜視図である。図４２は、図４１に示したトレーにビニルシートを被せた状態を示す部分外観斜視図であり、図４３は、栽培室の棚に複数のトレーを配置した状態を示す側面図であり、図４４は、トレー内の植物が開花した状態を示す部分外観斜視図であり、図４５は、トレー内の植物が開花した状態の栽培室内の外観斜視図である。図４６は、乾燥室内の部分外観斜視図の一例である。図４７は、図４６に示した乾燥室内の乾燥機の扉を開けた状態を示す図であり、図４８は、図４７に示した乾燥機の引き出し内の乾燥後の植物を示す図である。
【０１６９】
作業マニュアル６６ｄについて述べる。作業マニュアル６６ｄは一例であり、本発明はこれに限定されるものではない。
【０１７０】
＜スマートファーム作成手順＞
（１−１）必要な備品を集める（８０鉢１トレー分の場合、４０穴天板２０１：２枚、黒布２枚、白カップ８０個、フィルター１２個、青カップ６個）。４０穴天板２０１（図２５）は、例えば幅約１ｍ奥行き５０ｃｍの樹脂板２０２にアルミ箔を貼り付け、直径８ｃｍ程度の穴２０３が４０個形成されたものである。白カップ２２１は、側面に複数の貫通孔２２２が形成された円錐台形状の樹脂製のカップである。フィルター２３４は、多孔質体樹脂からなる円筒状のフィルターであり、材質には例えば、低密度ポリエチレン軟質やフッ素樹脂が挙げられる。青カップも白カップ同様樹脂からなり、複数の貫通孔が形成された円錐台形状のカップである。
（１−２）フィルター２３４を１時間ほど水につけて柔らかい状態に戻す。
（１−３）新品の黒布を洗浄する（バケツの８割ほど水を入れ、キャップ半分の漂白剤をバケツに入れて洗浄剤を作り、３０分ほど黒布を浸す。次に水で洗い流す。）
（１−４）図３０、図３１に示すようにトレー１０２の底板の穴２３３にフィルター２３４を詰める（横から見て出っ張らないようにフィルター２３４が平らになるまで空いている穴２３３に押しながら入れる。）
（１−５）給水する（図３４に示すようにじょうご２５６を使ってボトル３本分の給液をトレー中央の注入口から注水する。注水後は蓋をする。）。給液は図３３に示したタンク２５２、２５３の蛇口から得られる原液の水溶液である。
（１−６）図３５に示すように黒布２６０をトレー１０２の底辺に敷く（洗った黒布は黒い面を表にして敷く。一度使用した黒布２６０は給液を全体にかける。）
（１−７）図３６、図３７に示すように例えば青カップ２６１を３個黒布２６０の上に略正三角形を形成するように配置する。
（１−８）図３８に示すように４０穴天板２０１を設置する（余白が多い方を端に向ける。）。
【０１７１】
＜給液作成＞
給液作成に使用する物品としては、例えば、ジョウゴ、メスシリンダー、給液ボトル２５４（図３４参照）、アミノハウス（登録商標）１号原液ボトル（黄色の液体）、ＯＡＴハウス（登録商標）２号原液ボトル（白色の液体）が挙げられる。
（２−１）メスシリンダーを使って原液をそれぞれ３２ＭＬ測る。
（２−２）各液を給液ボトル２５４に入れる（黄色と白色の原液を混ぜる。各原液を注いだらメスシリンダーに水道水を入れ、給液ボトル２５４に注ぐ。）
（２−３）給液ボトル２５４に水道水を４Ｌ入れる。
（２−４）濃度の測定（濃度測定器の先端を３ｃｍほど給液に浸す。正常範囲：ＥＣ：２．０〜２．８、ｐＨ：５．０〜６．５）
（２−５）給水前の準備（給水前にポール２３５（図３４）内のフロート２３５ａが上がっている場合はポール２３５を指で軽くはじく。フロートが落ちてから給水する。）
【０１７２】
給水量としては、フロート２３５ａが上がったら給水を止める。フロート２３５ａが上がりすぎたらポンプで汲み取る。頻度は週１回である（葉が生い茂ったら２回に増やす。）。残った給液は廃棄する。
【０１７３】
＜種まき準備＞
使用する物品は、例えば、ネオコール（登録商標）、ボウル・笊、白カップ、軽量スプーン（大匙）、緑トレー、及び手袋が挙げられる。
（３−１）手袋を着用する（ネオコール（登録商標）により手が汚れやすいため）。
（３−２）ネオコール（登録商標）を半分程度笊に入れる。
（３−３）ネオコール（登録商標）をふるいにかけ、笊の目より小さい粒を落とす。終えるタイミングについては、水の色が変わったら終了する（３〜４回）。
（３−４）ネオコール（登録商標）に水分を吸収させるため１時間以上水に浸す。
（３−５）白カップ２２１にネオコール（登録商標）を入れる。余ったネオコール（登録商標）は緑のトレーに入れたまま保存する。量の目安は、ライン引きが終わっていない場合、白カップ２２１の隙間が少し見えるくらいにする。種まき物品としては、例えば、ネームプレート、油性ペン、養生テープ、白トレー、ビニール袋、計量スプーン、種、鉢（必要個数）、及び緑トレーが挙げられる。
【０１７４】
＜種まき＞
種の大きさの分類（野菜とハーブの一例）
大きい品種としては、例えばイタリアンパセリ、小松菜、バジルが挙げられ、小さい品種としては、例えばカモミール、タイム、デイジーが挙げられる。
（４−１）ネオコール（登録商標）が入った白カップ２２１の中央にくぼみを作る。
（４−２）保存容器から種を取り出して小トレー上に載せる。余った種は保存容器に戻す。
白カップ２２１内のネオコール（登録商標）にくぼみを作り、種を入れる。入れ忘れを防ぐまでネオコール（登録商標）をかぶせる。
（４−３）種まき（種の小さい品種、種を振りかける。種の入れ忘れを防止するため、種を入れた状態で次に進む。）
（４−４）ネームプレートの作成（トレー１０２に養生テープを張り、日付と品種を記入する）
（４−５）ネオコール（登録商標）をかぶせる（大きい種はネオコール（登録商標）を上にかぶせる。）
（４−６）ネオコール（登録商標）と種が入った白カップ２２１としての鉢の設置（４０穴天板２０１の穴２０３に入れる、ネオコール（登録商標）の粒が黒布２６０の上に落ちないように注意する。白カップ２２１が浮かないように４０穴天板２０１の穴２０３に水平に入れる。４０穴天板２０１の両端は浮きやすいので注意を要する。）
（４−７）図４２に示すようにトレー１０２上にビニルシート２６３をかける（全て入れ終えたらビニルシート２６３を上にかける。芽が出るまでＬＥＤ（Ｌｉｇｈｔ  Ｅｍｉｔｔｉｎｇ  Ｄｉｏｄｅ）ライトの点灯は避ける。）
【０１７５】
ビニルシート２６３をかけ忘れると、ネオコール（登録商標）が乾燥して灰色になり、種も乾燥する。一度水分を吸った種は乾燥すると発芽率が著しく低下するため、必ず発芽するまでビニルシート２６３をかけておくことが必要である。また、ＬＥＤの点灯を忘れると、植物がもやし状になる。収穫に影響するため発芽時もしくは発芽直後にはＬＥＤを点灯することが必要である。適度のＬＥＤ点灯と十分な発育期間を経過すると図４５のように２０ｃｍほど成長する。
【０１７６】
＜挿し木＞
挿し木の対象としては、例えばミント類ではスペアミント、アップルミント、オレンジミントが挙げられる。これらは、種子では育てにくいため、茎を切り、挿し木にして栽培する必要がある。挿し木の使用物品としては、例えば白トレー（深）、透明ケース２個、ハサミ、及びピンセットが挙げられる。
（５−１）白トレー（深）に水を半分程度入れ、ハサミと一緒に栽培室に運ぶ。
（５−２）穂木の選定（葉の先端より３ｃｍほどで切る。切った穂木は白トレーに入れる。茎が水に浸るように入れる。）。穂木を取りすぎると親木が成長しなくなる。一つの茎からは穂木は２本以内とする。
（５−３）穂木の加工（茎を斜めに切る。上の葉を２枚残して他を切る。上の葉が大きい場合はいずれかを半分に切り、上の葉が小さい場合は下の葉を半分残す。）
（５−４）ピンセットでつまむ（茎に沿ってピンセットを準備し、切り口をつぶさないようにピンセットでつまむ。）
（５−５）植える（ピンセットを使ってネオコール（登録商標）内に差し込む。一つの鉢に３本もしくは４本差し込む）
（５−６）透明トレーに入れる（鉢を透明トレーに移動し、鉢のラインまで水道水を入れる。）
（５−７）透明トレーの保管（密閉させる必要があるため蓋の凹凸を確認後閉める。）数日間は暗所にて保管する。発根が確認できた場合はスマートファームに移動させる。生育不良についてはＬＥＤの点灯忘れや水が多すぎた場合が挙げられる。
（５−８）花芽を切る（先端のつぼみを切る。花が咲くと花の成長が止まるため花が咲く前に切り落とす。）
（５−９）切り戻し（４節まで成長した後、２節目の上１ｃｍほどで切る。葉数を増やすために切り戻しを行う。）
【０１７７】
＜間隔広げ＞
必要備品としては、例えば、緑トレー、アルミ箔からなる栓、及び図２６に示す２４穴天板２１１が挙げられる。
（６−１）４０穴天板２０１ごとトレー１０２から外す
（６−２）２４穴天板２１１を敷く（取り出した場所に２４穴天板２１１を入れるか、または新しいトレー１０２を作成し、２４穴天板２１１を入れる。）
（６−３）鉢を２４穴天板２１１へ移動させる（根を切らないようにほぐし、鉢を２４穴天板２１１の穴２１３に入れる。）
（６−４）２４穴天板２１１の空いている穴２１３をアルミ箔で塞ぐ
【０１７８】
＜収穫・出荷＞
一例としてミントの収穫について説明する。使用物品としては、例えばハサミが挙げられる。ミントの場合、収穫方法は二つあり、葉っぱのみを切り落とす場合と、茎毎切り落とす場合とが挙げられる。
【０１７９】
＜片付け＞
使用物品としては、例えば青バケツ、手袋、表額剤、及びポンプが挙げられる。
（７−１）手袋を着用する
（７−２）洗浄液を作る（漂泊液を１０ｍｌバケツへ入れ、バケツに１０Ｌの水道水を入れ、バケツの内側の溝を確認する。）
（７−３）洗浄する物品を取り外す（黒布２６０を折りたたみ、全てのフィルターを取ってボウルかトレーに入れる。）
（７−４）４０穴天板２０１及び２４穴天板２２１の清掃（スポンジで両天板２０１、２２１の両面の汚れを落とし、穴の側面から天板内に水を入れ、洗浄後は水気をきる。）
（７−５）黒布の洗浄
（７−６）洗浄液に浸す（洗浄液に３０分以上浸す。）
（７−７）水抜き（ポンプをトレー１０２の給水口２３７（図２９参照）に差し込み水を排出させる。）
（７−８）トレー１０２を栽培室１５８から加工室１５９の流し台１９１ａに移動させる。
（７−９）トレー１０２の洗浄（表面の汚れはスポンジで洗い、本体に水を入れた後中の水を排出させ、乾燥させる。）
【０１８０】
＜清掃＞
（８−１）床の清掃（机での作業後は周囲をほうきで掃除する。）
（８−２）流し台１９１ａの清掃
（８−３）掃除機の使用（栽培室１５８：図７）
【０１８１】
＜加工＞
必要物品としては、例えば、ジップロック（登録商標）、茶葉、計り、計測用紙、スプーン、シーラー、及び空き袋が挙げられる。
（９−１）図４６に示す乾燥室１６０内の乾燥機２８０から乾燥トレーを取り出す
（９−２）葉を乾燥トレーに載せる
（９−３）乾燥トレーを乾燥機２８０に戻す
（９−４）図４７に示す乾燥機２８０の乾燥温度を設定する（電源ボタンを押し、温度設定ボタンを押し、時間設定ボタンを押す。）
（９−５）砕く（乾燥実施後、図４８に示すように葉がパリパリになっていることを確認し、袋に入れ、つぶしたり揉んだりして砕く。但し、葉の形が残る程度とする。）
（９−６）計量する（電子はかりの電源を入れ、計測用紙に折り目を付けてから乗せ、スプーンを使用して規定量を測る。）
（９−７）詰める（折り目を合わせて折り、乾燥葉を袋に入れる。）
（９−８）封をする(シーラーの電源を入れ、ランプの点灯を確認し、袋を置き上のバーを押さえ、音が鳴ったら押さえるのを止める。)
【０１８２】
＜研修スケジュール＞
図４に示した研修スケジュール６６ｅの一例について図４９Ａ〜図６９を参照して説明する。研修期間は１か月としてあるが、限定されるものではない。また、適宜早出、残業、臨時出勤があってもよい。
【０１８３】
図４９Ａ、図４９Ｂに示す研修スケジュールには、初日である１２月３日（月）の０：００に休憩室にてメンバー、管理者、及び自社企業としてのＳＬ社でオリエンテーションが行われる。会場誘導、司会進行及び手話筆談担当者によりオリエンテーションＡがあり、その中でスケジュール説明や各社の挨拶が行われる。
【０１８４】
１０：３０から自社企業のスタッフによりメンバーらに対し施設内の案内が行われ、１１：００から入社式が行われる。メンバーと管理者との間で自己紹介が行われ、必要な書類の記入／選択や就業規則の説明、休暇時の連絡方法の確認が行われる。
【０１８５】
１２：００〜１３：００の昼休憩後、休憩室にてオリエンテーションＢが行われ、その中でメンバーに対し個人情報同意書や緊急連絡シートの説明が行われる。室内農園内における禁止事項や遵守規則の説明がある。
【０１８６】
１４：００から入退室のためのカードキー、ロッカーキー、遵守規則の説明、入退出方法の説明、共有スペースの利用説明、各社栽培室の施錠方法、ロッカー使用方法の説明が行われ、１４：３０から作業着サイズ測定が行われる。
【０１８７】
１６：００から面談室にてメンバーにより個人情報同意書・緊急連絡先シートの記入が行われ、管理者からメンバーに説明が行われる。
【０１８８】
１６：３０から紙の健康管理シート記入（端末への健康管理ツール入力）の説明とメンバーによる記入（端末入力）が行われ、管理者から記録シート（記録ツール）の説明が行われ、メンバーにより記入（端末入力）が行われる。
【０１８９】
以下、紙の健康管理シートや記録シート等の記入は、例えば、メンバーの端末のバッテリー切れ、端末故障もしくは端末忘れの場合に利用されるものであり、通常は端末入力が前提である。
【０１９０】
１６：４５から片付けや端末への日報／勤怠入力が行われ、１５：００に退社する。
【０１９１】
図５０Ａ、図５０Ｂに示す第２日目である１２月４日（火）の１０：００から休憩室にて朝礼が行われ、メンバーによる健康管理シートの記入／選択（健康管理ツール入力）が行われる。このときのＳＬ社側は司会１名及び記入／選択内容確認１名体制で管理者へ始業時の動きが説明される。
【０１９２】
以降、管理者は毎日健康管理シートを確認することでメンバーの体調や精神状態を把握することでメンバーに寄り添った対応をすることができる。
【０１９３】
１０：１５から休憩室にて植物装置・栽培資料の説明が行われる。ＳＬ社司会１名、レクチャー○○さん、説明時の筆談サポートが行われる。顧客企業向け栽培室への移動の際にＳＬ社スタッフにより施設案内が行われる。
【０１９４】
１０：３０から休憩室にてエアコン、除湿機、及び電源ボックスの説明が行われる。備品や設備等の注意事項説明、栽培資材の用語説明が行われる。
【０１９５】
１１：００から加工室にて加工室の共有資材についての説明、加工室の掃除方法の説明が行われる。
【０１９６】
１１：３０から衛生管理基準等について説明が行われる。
【０１９７】
１２：００〜１３；００の昼休憩の後、１３：００から栽培室にて備品のネームタグ付出が行われる。ＳＬ社から事前にテプラ（登録商標）で印字したものを渡す。
【０１９８】
１３：３０からＳＬ社から管理者研修が休憩室で行われ、障がい者雇用関連法令と差別・合理的配慮について説明される。
【０１９９】
１４：３０〜１５：００まで休憩があり、１５：００〜休憩室で○○さんによる栽培資材作製レクチャーが行われる。
【０２００】
１５：３０から栽培室にてメンバーによる栽培資材作製が行われ、白カップのライン引きやアルミ栓が行われ、休憩室にてＳＬ社による管理者研修が行われる。資料としては障がいに関する一般知識が用いられる。
【０２０１】
１６：４５からメンバー及び管理者による片付けや日報／勤怠入力、終礼等が行われ、ＳＬ社による管理者補助が行われ、１７：００に退社する。
【０２０２】
図５１Ａ、図５１Ｂに示す第３日目である１２月５日（水）の１０：００から休憩室にて、ＳＬ社司会１名、管理者補助１名体制で朝礼が行われ、メンバーによる健康管理シートの記入／選択（健康管理ツール入力）、本日のスケジュール確認（作業指示書確認）、及び記録シート記入／選択（記録ツール入力）が行われる。
【０２０３】
１０：１５からＳＬ社側の司会・誘導１名、レクチャー○○さん、及び説明時の筆談サポート体制で休憩室にて管理者によるメンバーへの栽培業務の流れの説明が行われ、１０：３０から栽培室にて栽培レクチャーとして準備が行われ、１１：００から加工室にて栽培レクチャーとして給液作業が行われ、１１：３０から栽培室にて栽培レクチャーとして種まき（８０鉢分）が行われる。
【０２０４】
１２：００〜１３：００の昼休憩の後、１３：００から栽培室でメンバー及び管理者による種まき（８０鉢分）が行われる。研修中はＳＬ社の△△さん、〇〇さんが各栽培室を回る。
【０２０５】
１３：３０に種まき終了後、栽培室にてメンバーによる栽培資材作製が行われ（白カップライン引き、アルミ栓）、休憩室にてＳＬ社による管理者研修が行われる（障がい者とのコミュニケーション）。管理者と障がい者であるメンバーとの間のコミュニケーションはメンバーの仕事の理解度や習熟度や悩み事を把握する上で極めて重要であり、適切なタイミングで行われることになる。
【０２０６】
１５：００から○○さんによる栽培レクチャー（挿し木：２４鉢分）が行われる（穂木の選定、穂木の作製、挿し木の実施）。
【０２０７】
１６：３０から片付け、日報／勤怠入力、終礼等が行われ、１７：００に退社する。
【０２０８】
図５２Ａ、図５２Ｂに示す第４日目である１２月６日（木）の１０：００からＳＬ社司会１名、記入／選択内容確認１名体制で、管理者へ始業時の動きが説明される。メンバー及び管理者により休憩室にて朝礼が行われ、メンバーにより健康管理シートへの記入／選択（健康管理ツール入力）が行われ、本日のスケジュール（作業指示書）確認がなされ、記録シートへの記入／選択（記録ツール入力）がなされる。
【０２０９】
１０：１５から他社栽培室にて栽培レクチャーが行われ、１０：３０分からメンバーによる収穫作業が行われ（２社ごと、順番制）、管理者は休憩室にてＳＬ社よる管理者研修が行われる（面談マニュアル）。
【０２１０】
１２：００〜１３：００の昼休憩の後、１３：００から乾燥室にてメンバー及び管理者に栽培レクチャーとしてのドライ加工（茶葉）として乾燥機の使い方について○○さんのレクチャーが行われる。
【０２１１】
１３：３０から栽培室にて種まき（１６０鉢）の栽培レクチャーとしての苗の手入れが行われる。
【０２１２】
１６：４５から片付け、日報／勤怠入力、及び終礼等が行われ、１７：００に退社する。
【０２１３】
図５３Ａ、図５３Ｂに示す第５日目である１２月７日（金）の１０：００から栽培室にて朝礼が行われ、メンバーにより健康管理シートの記入／選択（健康管理ツール入力）が行われる。本日のスケジュール（作業指示書）確認が行われ、記録シートの記入／選択（記録ツール入力）が行われる。
【０２１４】
１０：１５からメンバーにより情報整理シートの記入／選択（情報整理ツール入力）が行われるが、メンバー一人での記入／選択（入力）が難解な場合は自宅で家族に記入／選択していただくことになる。この情報整理シートは、メンバー個人の趣味、嗜好、生活態度、どのような経験をしてきたか、何ができるか、何をやりたいのか、管理者がどのように接していけばよいのか、悩み事は何か等を知るための重要な情報源である。また、入社後第１週目終了時に作成することは業務や内部の状況について一通り把握できている適切なタイミングである。
【０２１５】
１２：００〜１３：００の昼休憩の後、１３：００から情報整理シート記入／選択（情報整理ツール入力）後確認がＳＬ社とメンバーとの間で行われ、１３：３０から他社栽培室にてメンバーと管理者とで収穫作業（２社ごと・輪番制）が行われる。栽培レクチャーが乾燥室にて○○さんにより行われる（ドライ加工（茶葉））。乾燥機からの取り出し、茶葉の粉砕、茶葉保管について説明される。
【０２１６】
１４：３０から冷蔵庫の使い方、１５：００から週末に向けて栽培室にて説明される（給液、室温管理等）。
【０２１７】
１６：００から休憩室にてハーブティーの試飲が行われ、１６：４５から片付け、日報／勤怠入力、終礼等が行われ、１７：００に退社する。
【０２１８】
図５４Ａ、図５４Ｂに示す第６日目である１２月１０日（月）の１０：００から栽培室にて朝礼が行われ、メンバーにより健康管理シートの記入／選択（健康管理ツール入力）が行われ、本日のスケジュール（作業指示書）の確認が行われ、記録シート記入／選択（記録ツール入力）が行われる。
【０２１９】
１０：１５からメンバー及び管理者により給液が行われる（植物の状態の確認）。
【０２２０】
１１：００から栽培レクチャーとして鉢の間隔広げが行われる（４０穴天板から２４穴天板への鉢の移動）。
【０２２１】
１２：００〜１３：００の昼休憩の後、１３：００からメンバー及び管理者による日々の手入れが行われる。
【０２２２】
１３：３０からメンバーの定期面談が行われ、合間に栽培資材作製が行われ、管理者によりＳＬ社スタッフ同席で面談が行われ、ＳＬ社によりＡ社面談が行われる。
【０２２３】
１５：００からメンバー、管理者、及びＳＬ社スタッフにより初根確認が行われ、１５：３０からメンバー等により栽培トレーの作製及びトレーへの移動が行われ、１６：００から苗の手入れや発芽しなかった鉢の除去が行われる。
【０２２４】
１６：４５から片付け、日報／勤怠入力、及び終礼等が行われ、１７：００に退社する。
【０２２５】
図５５Ａ、図５５Ｂに示す第７日目である１２月１１日（火）の１０：００から栽培室にて朝礼が行われ、メンバーにより健康管理シート記入／選択（健康管理ツール入力）、本日のスケジュール（作業指示）確認、及び記録シート記入／選択（記録ツール入力）が行われる。
【０２２６】
１０：１５から栽培レクチャー（植物の状態の確認）が行われる。
【０２２７】
１１：００から栽培室にて栽培レクチャーとして苗の手入れ（枯れ草除去・剪定・切り戻し）が行われる。
【０２２８】
１２：００〜１３：００の昼休憩の後、１３：００からメンバー及び管理者により種まきまたは挿し木が行われる。
【０２２９】
１４：００から乾燥室にて管理者からメンバーに栽培レクチャーとして加工（ハーブティーの作製）が行われる。
【０２３０】
１５：００から栽培トレー配置の説明（トレーの移動、トレーへのナンバリング）が行われる。この間ＳＬ社はＡ社及びＢ社との面談を行う。
【０２３１】
１６：４５から片付け、日報／勤怠入力、及び終礼等が行われ、１７：００に退社する。
【０２３２】
図５６Ａ、図５６Ｂに示す第８日目である１２月１２日（水）の１０：００から栽培室にて朝礼が行われ、メンバーにより健康管理シート記入／選択（健康管理ツール入力）が行われ、本日のスケジュール（作業指示）確認が行われ、記録ノート記入／選択（記録ツール入力）が行われる。
【０２３３】
１０：１５からメンバー及び管理者により種まきまたは挿し木が行われる。
【０２３４】
１２：００〜１３：００の昼休憩の後、１３：００から種まき又は挿し木が行われ、１４：３０からメンバー、管理者、及びＳＬ社のスタッフにより情報整理ツール面談が行われる。情報整理ツールを用いることにより、管理者及びスタッフがメンバーの体調、精神状態、学歴、職歴、経験や性格を詳しく把握することができるので、より親密な指導を行うことができる。
【０２３５】
１６：４５から片付け、日報／勤怠入力、及び終礼等が行われ、１７：００に退社する。
【０２３６】
図５７Ａ、図５７Ｂに示す第８日目である１２月１３日（木）の１０：００から栽培室にて朝礼が行われ、メンバーにより健康管理シート記入／選択（健康管理ツール入力）、本日のスケジュール（作業指示）確認、及び記録シート記入／選択（記録ツール入力）が行われる。
【０２３７】
１０：１５からメンバー及び管理者により種まきまたは挿し木が行われる。
【０２３８】
１０：３０からメンバー、管理者、及びＳＬ社のスタッフにより情報ツール面談が行われるが、該当しない場合には栽培資材作製が行われる。
【０２３９】
１２：００〜１３：００の昼休憩の後、１３：００からメンバー及び管理者により種まきまたは挿し木が行われる。
【０２４０】
１４：００からメンバー及び管理者により加工室にてハーブティーの作製が行われる。
【０２４１】
１５：３０からメンバー及び管理者により日々の手入れである、発根確認と剪定が行われる。
【０２４２】
１６：４５から片付け、日報／勤怠入力、及び終礼等が行われ、１７：００に退社する。
【０２４３】
図５８Ａ、図５８Ｂに示す第９日目である１２月１４日（金）の１０：００から栽培室にて朝礼が行われ、メンバーにより健康管理シート記入／選択（健康管理ツール入力）、本日のスケジュール（作業指示）確認、及び記録シート記入／選択（記録ツール入力）が行われる。
【０２４４】
１０：１５からメンバー及び管理者により種まきまたは挿し木が行われる。
【０２４５】
１２：００〜１３：００の昼休憩の後、１３：００からメンバー及び管理者に栽培レクチャーとしての間隔広げが行われる。
【０２４６】
１３：３０からメンバー及び管理者により週末に向けて給液及び室温管理が行われる。
【０２４７】
１５：００からメンバーによりマイマニュアルが作成され、管理者と共に読み合わせが行われ、管理者により加筆される。
【０２４８】
１６：４５から片付け、日報／勤怠入力、終礼等が行われ、１７：００に退社する。
【０２４９】
図５９に示す第９日目である１２月１７日（月）〜図６０に示す第１０日目である１２月１８日（火）は１０：００〜１２；００、１３：００〜１７：００は予備とあるが、前日同様に朝礼、健康管理シート記入／選択（健康管理ツール入力）、本日のスケジュール（作業指示）確認、及び記録シート記入／選択（記録ツール入力）が行われる。スケジュールに基づいた作業が行われる。
【０２５０】
図６１に示す第１１日目である１２月１９日（水）は１０：００〜１２：００は、前日と同様であり、１３：００からメンバー、管理者、及びＳＬ社のスタッフとで定期面談が行われ、該当しないメンバーにより栽培資材作製が行われ、１６：４５から片付け、日報／勤怠入力、終礼等が行われ、１７：００に退社する。
【０２５１】
図６２に示す第１２日目である１２月２０日（木）〜図６３に示す第１３日目である１２月２１日（金）は午前午後共に予備となっているが、通常の業務が行われ、図６４に示す１３日目である１２月２４日（月）は祝日のため休日である。
【０２５２】
図６５に示す第１４日目である１２月２５日（火）は通常業務が行われ、図６６に示す第１５日目である１２月２６日（水）は１０：００〜１５：００は通常業務であり、１５：００からメンバー３名の定期面談が行われ、該当しない場合には栽培資材作製が行われ、１６：４５から片付け、日報／勤怠入力、終礼等が行われ、１７：００に退社する。
【０２５３】
図６７に示す第１６日目である１２月２７日(木)〜図６８に示す第１７日目である１２月２８日（金）は、午前午後共に通常業務が行われ、１６：４５から片付け、日報／勤怠入力、終礼等が行われ、１７：００に退社する。
【０２５４】
以上の１２月３日（月）〜１２月２８日（金）の第４週で研修が終了するが、研修終了後もルーティンワークである、朝礼が行われ、メンバーにより健康管理シート記入／選択（健康管理ツール入力）、本日のスケジュール（作業指示）確認、及び記録シート記入／選択（記録ツール入力）が行われる。記録シート記入（記録ツール入力）後は、スケジュールに従って作業が行われ、１６：４５から片付け、日報／勤怠入力、終礼等が行われ、１７：００に退社する。定期面談や必要に応じた面談が行われ、メンバーに寄り添った指導、業務が行われる。
【０２５５】
以上より、本実施形態によれば、
（１）業務切り出しが不要である。企業が障がい者雇用に取り組みやすいように、顧客企業に対し就業環境や業務等をパッケージにして提供するので、業務切り出しが不要となる。
（２）安心、安全な障がい者の就労環境が得られる。屋内農園型の場合には、熱中症の心配もない安定した就労環境を実現することができる。未経験でも栽培可能な植物装置システムが導入されている。
（３）成果物が強力なプランティングツールになる。栽培品種は、葉物野菜、ハーブを中心に５０種類以上ある。収穫できたハーブ類は現場でハーブティー等に加工が可能である。ＣＳＲ向上にも寄与するブランティングツールである。ここで、ＣＳＲ（Ｃｏｒｐｏｒａｔｅ  Ｓｏｃｉａｌ  Ｒｅｓｐｏｎｓｉｂｉｌｉｔｙ）とは、事業活動を行なうだけでなく、人権やコンプライアンスの遵守、環境問題への配慮、地域社会との共存・貢献といった企業が果たすべき社会的責任を指すビジネス用語である。
【０２５６】
また、作業場が屋内農園の場合には、
（１）熱中症にならない、快適な栽培スペースである。空調設備の専有栽培スペース約５坪、加工や休憩の共有コミュニティエリアを有する。
（２）環境ダメージを回避することが可能な底面かん水方式を採用している。溶液排水による環境破壊を回避できる。長期休暇にも対応した水やりシステムを導入した。
（３）障がい者雇用サポート及び栽培指導を行っている。就労支援で培った定着サポート支援を行っている。植物工場運営豊富なパートナー企業と連携している。
（４）全天候型のため、台風、日照り、長雨の影響を受けることが無く、作業を中止することがない。
（５）ＬＥＤとタイマーを使用して植物に効果的に光を照射することで、メンバーが休暇をとったり、病欠したりしても植物を育成することができる。
応用行動分析学に基づいて試行錯誤を繰り返した結果、雇用後定着率８０％を実現した。
【０２５７】
管理者向け研修を行っており、
植物栽培、加工レクチャー、障がい者とのコミュニケーション技法、障がい者の関連法案と合理的配慮等の研修、継続サポートを行う。
採用実務としては、採用事務局設置、母集団形成、面接設定、面接サポート、作業適正評価を実施する。
障がい者定着支援を行っており、植物栽培、加工レクチャー、心理的柔軟性を高めるプログラムをはじめ、各種研修、継続サポートを実施する。
【０２５８】
＜プログラム＞
以上で説明した本発明に係る特定人材定着率向上システムは、コンピュータで処理を実行させるプログラムによって実現されている。コンピュータとしては、例えばパーソナルコンピュータやワークステーションなどの汎用的なものが挙げられるが、本発明はこれに限定されるものではない。よって、一例として、プログラムにより本発明の機能を実現する場合の説明を以下で行う。
【０２５９】
例えば、
顧客企業が応募者を採用面接し、研修期間中及び研修終了後、顧客企業の管理者が前記顧客企業に採用されたメンバーを指導／管理する指導／管理方法を実施するためのコンピュータ読み取り可能なプログラムであって、
コンピュータに、
顧客企業が前記応募者を採用面接する時に、顧客企業の管理者及び自社企業のスタッフと応募者との間の質疑応答の内容が入力される第一の機能と、
メンバーによる実習の状況が入力される第二の機能と、
質疑応答の内容及び実習の状況に基づいて管理者が応募者の採否を判定する第三の機能と、
研修期間中は毎日、研修終了後は略定期的に、採用されたメンバーと前記管理者とが屋内もしくは前記屋外で管理者が前記メンバーを指導／管理するため技術面でサポートするための情報を前記管理者に送る第四の機能と、
研修期間中は毎日、研修終了後は略定期的に、メンバーと管理者とが自社企業が屋内もしくは前記屋外で管理者がメンバーを指導／管理するため就労面で定着をサポートするための情報を管理者側端末に送る第五の機能と、
管理者から日次報告を受け、顧客企業の担当者側端末に業務命令を送る第六の機能と、
を実行させるためのコンピュータ読み取り可能なプログラムが挙げられる。
【０２６０】
このようなプログラムは、コンピュータに読み取り可能な記録媒体に記憶されていてもよい。
【０２６１】
＜記録媒体＞
ここで、記憶媒体としては、例えばＣＤ−ＲＯＭ、フレキシブルディスク（ＦＤ）、ＣＤ−Ｒ等のコンピュータで読み取り可能な記憶媒体、フラッシュメモリ、ＲＡＭ、ＲＯＭ、ＦｅＲＡＭ等の半導体メモリやＨＤＤが挙げられる。
【０２６２】
ＣＤ−ＲＯＭは、Ｃｏｍｐａｃｔ−Ｄｉｓｃ  Ｒｅａｄ  Ｏｎｌｙ  Ｍｅｍｏｒｙの略である。フレキシブルディスクは、Ｆｌｅｘｉｂｌｅ Ｄｉｓｋ：ＦＤを意味する。ＣＤ−Ｒは、ＣＤ−Ｒｅｃｏｒｄａｂｌｅの略である。ＲＡＭは、Ｒａｎｄｏｍ  Ａｃｃｅｓｓ  Ｍｅｍｏｒｙの略である。ＲＯＭは、Ｒｅａｄ  Ｏｎｌｙ  Ｍｅｍｏｒｙの略である。ＦｅＲＡＭは、Ｆｅｒｒｏｅｌｅｃｔｒｉｃ  ＲＡＭの略で、強誘電体メモリを意味する。ＨＤＤは、Ｈａｒｄ  Ｄｉｓｃ  Ｄｒｉｖｅの略である。
【０２６３】
尚、上述した実施の形態は、本発明の好適な実施の形態の一例を示すものであり、本発明はそれに限定されることなく、その要旨を逸脱しない範囲内において、種々変形実施が可能である。例えば、上述した実施の形態では、管理者２２が顧客企業の社員の場合で説明したが、本発明は、これに限定されるものではなく、人型ロボットであってもよい。
また、上述した実施の形態では、メンバーが自宅から作業場まで通勤する場合で説明したが、本発明はこれに限定されるものではなく、テレワーク（在宅勤務）形式であってもよい。
【産業上の利用可能性】
【０２６４】
本発明に係る特定人材定着率向上システム、特定人材定着率向上システムの制御方法、プログラム、及び記録媒体は、工業的に製造することができ、また商取引の対象とすることができるため、経済的価値を有しており、産業上利用することができる発明である。
【符号の説明】
【０２６５】
１・・・  ネットワーク
８・・・  スタッフ
１０・・・  管理サーバー
１１・・・  技術支援者
１２・・・  就労支援者
２１・・・  担当者
２２・・・  管理者
２３〜２５・・・  メンバー
２４・・・  応募者用撮像部
１１ｔ、７３・・・  技術支援者側端末
１２ｔ、７１・・・  就労支援者側端末
２１ｔ、６１・・・  担当者側端末
２２ｔ、６２・・・  管理者側端末
２３ｔ〜２５ｔ・・・  メンバー側端末
６３・・・  メンバー側端末群
６４・・・  スタッフ側端末群
６５・・・  通信部
６６・・・  記憶部
６６ａ・・・  制御プログラム
６６ｂ・・・  画像／音声記憶部
６６ｃ・・・  面接／面談マニュアル
６６ｄ・・・  作業マニュアル
６６ｅ・・・  研修スケジュール
６７・・・  応募者用解析部
６８・・・  応募者用人工知能部
６９・・・  制御部
７０・・・  判定部
７５・・・  メンバー用撮像部
７６・・・  メンバー用解析部
７７・・・  メンバー用人工知能部
７８・・・  遠隔操作部
８０・・・  不動産情報提供部
【図１】
0006959622.tif 000002
【図２】
0006959622.tif 000003
【図３】
0006959622.tif 000004
【図４】
0006959622.tif 000005
【図５】
0006959622.tif 000006
【図６】
0006959622.tif 000007
【図７】
0006959622.tif 000008
【図８】
0006959622.tif 000009
【図９】
0006959622.tif 000010
【図１０Ａ】
0006959622.tif 000011
【図１０Ｂ】
0006959622.tif 000012
【図１１Ａ】
0006959622.tif 000013
【図１１Ｂ】
0006959622.tif 000014
【図１１Ｃ】
0006959622.tif 000015
【図１２】
0006959622.tif 000016
【図１３】
0006959622.tif 000017
【図１４】
0006959622.tif 000018
【図１５】
0006959622.tif 000019
【図１６】
0006959622.tif 000020
【図１７Ａ】
0006959622.tif 000021
【図１７Ｂ】
0006959622.tif 000022
【図１８Ａ】
0006959622.tif 000023
【図１８Ｂ】
0006959622.tif 000024
【図１９】
0006959622.tif 000025
【図２０】
0006959622.tif 000026
【図２１Ａ】
0006959622.tif 000027
【図２１Ｂ】
0006959622.tif 000028
【図２２Ａ】
0006959622.tif 000029
【図２２Ｂ】
0006959622.tif 000030
【図２３Ａ】
0006959622.tif 000031
【図２３Ｂ】
0006959622.tif 000032
【図２４Ａ】
0006959622.tif 000033
【図２４Ｂ】
0006959622.tif 000034
【図２４Ｃ】
0006959622.tif 000035
【図２４Ｄ】
0006959622.tif 000036
【図２４Ｅ】
0006959622.tif 000037
【図２５】
0006959622.tif 000038
【図２６】
0006959622.tif 000039
【図２７】
0006959622.tif 000040
【図２８】
0006959622.tif 000041
【図２９】
0006959622.tif 000042
【図３０】
0006959622.tif 000043
【図３１】
0006959622.tif 000044
【図３２】
0006959622.tif 000045
【図３３】
0006959622.tif 000046
【図３４】
0006959622.tif 000047
【図３５】
0006959622.tif 000048
【図３６】
0006959622.tif 000049
【図３７】
0006959622.tif 000050
【図３８】
0006959622.tif 000051
【図３９】
0006959622.tif 000052
【図４０】
0006959622.tif 000053
【図４１】
0006959622.tif 000054
【図４２】
0006959622.tif 000055
【図４３】
0006959622.tif 000056
【図４４】
0006959622.tif 000057
【図４５】
0006959622.tif 000058
【図４６】
0006959622.tif 000059
【図４７】
0006959622.tif 000060
【図４８】
0006959622.tif 000061
【図４９Ａ】
0006959622.tif 000062
【図４９Ｂ】
0006959622.tif 000063
【図５０Ａ】
0006959622.tif 000064
【図５０Ｂ】
0006959622.tif 000065
【図５１Ａ】
0006959622.tif 000066
【図５１Ｂ】
0006959622.tif 000067
【図５２Ａ】
0006959622.tif 000068
【図５２Ｂ】
0006959622.tif 000069
【図５３Ａ】
0006959622.tif 000070
【図５３Ｂ】
0006959622.tif 000071
【図５４Ａ】
0006959622.tif 000072
【図５４Ｂ】
0006959622.tif 000073
【図５５Ａ】
0006959622.tif 000074
【図５５Ｂ】
0006959622.tif 000075
【図５６Ａ】
0006959622.tif 000076
【図５６Ｂ】
0006959622.tif 000077
【図５７Ａ】
0006959622.tif 000078
【図５７Ｂ】
0006959622.tif 000079
【図５８Ａ】
0006959622.tif 000080
【図５８Ｂ】
0006959622.tif 000081
【図５９】
0006959622.tif 000082
【図６０】
0006959622.tif 000083
【図６１】
0006959622.tif 000084
【図６２】
0006959622.tif 000085
【図６３】
0006959622.tif 000086
【図６４】
0006959622.tif 000087
【図６５】
0006959622.tif 000088
【図６６】
0006959622.tif 000089
【図６７】
0006959622.tif 000090
【図６８】
0006959622.tif 000091